(57)【要約】【課題】演出表示装置のアースを確実に行うとともに、アース経路における見栄えの低下を抑制することが可能な遊技機の提供。【解決手段】前面開閉部材５０１の前面側に取付けられた演出表示装置５９０と、前面開閉部材５０１の背面側に取付けられた演出制御基板５１０と、前面開閉部材５０１に形成された開口部５２０を通し前面開閉部材５０１の表裏に跨って配置された断面略コ字形で弾性の金属片からなり、前面開閉部材５０１の表側に位置する部分が演出表示装置５９０の裏面の金属板に当接可能で、前面開閉部材５０１の裏側に位置する部分がアース線に接続される金具５２２と、前面開閉部材５０１に設けられたネジ孔に対して前面開閉部材５０１の後方からねじ込まれる雄ネジであって、前面開閉部材５０１の前面から突出する先端部分によって、金具５２２の前側部分を背面側から押圧する雄ネジとを具備する。【選択図】図１８
2008301909.tif 000002
【特許請求の範囲】
【請求項１】
前面が開口する箱形または枠形の筐体と、
該筐体の前面を閉鎖する閉鎖位置と前記筐体の前面を開放する開放位置との間で横開きの扉状に回動可能に支持されるとともに前記筐体の内部を視認可能とする透視窓を有する扉形前面部材と、
該扉形前面部材に配置され、遊技者に遊技の進行を指示させることが可能な遊技操作部と、
該遊技操作部の操作等に基づいて遊技の進行を制御する遊技制御手段と、
少なくとも該遊技制御手段が内部に組付けられるとともに、前面の少なくとも一部が開口するケース部材、及び該ケース部材の前面に設けられ前記扉形前面部材の回動方向と同方向に回動可能な樹脂製の前面開閉部材、を有し、前記筐体内に交換可能な状態で収容される機種ユニットと、
前記前面開閉部材の前面側に取付けられ、前記前面開閉部材とともに回動するとともに、所定の演出画像を表示する演出表示装置と、
前記前面開閉部材の背面側に取付けられ、前記前面開閉部材とともに回動するとともに、遊技の進行に準じて所定の演出制御を実行する演出制御手段と、
前記前面開閉部材に形成された開口部を通し前記前面開閉部材の表裏に跨って配置された断面略コ字形で弾性の金属片からなり、前記前面開閉部材の表側に位置する前側部分が前記演出表示装置の裏面の金属板に当接可能で、前記前面開閉部材の裏側に位置する後側部分がアース線に接続される電導性の金具と、
前記前面開閉部材に貫通して設けられたネジ孔に対して前記前面開閉部材の後方からねじ込まれる雄ネジであって、前記前面開閉部材の前面から突出する先端部分によって、前記金具の前記前側部分を背面側から押圧し前記演出表示装置の裏面に向って付勢する雄ネジと
を具備することを特徴とする遊技機。
【発明の詳細な説明】
【技術分野】
【０００１】
本発明は、スロットマシン（一般に「パチスロ機」とも称する）や、ぱちんこ遊技機（一般に「パチンコ機」とも称する）等の遊技機に関するものである。
【背景技術】
【０００２】
スロットマシンは、遊技媒体であるメダルを投入し、メダルの投入後、操作レバーの操作に応じて複数の図柄からなる図柄列を変動表示させるとともに、その後、ストップボタンの操作に応じて図柄列の変動を停止させる、という遊技を行うものである。図柄列の変動停止時における図柄の組合せが特定の条件を満たす場合に、満たされた条件に応じて所定個数のメダルを払い出したり、遊技者が多量のメダルを獲得することができるように、遊技者に有利な特別有利状態を発生させたりすることが可能となっている。また、筐体の前面に演出表示装置を備え、演出制御手段によって遊技状態や抽選結果に基づいた演出を演出表示装置に表示させるようにした遊技機も知られている。
【０００３】
ところで、近年の遊技機では、ダイナミックで明瞭な演出画像を表示させるように、演出表示装置における画面の大型化及び精細化が進んでいる。このため、ノイズが侵入して画像が乱れると、遊技における興趣を低下させたり遊技意欲を低下させたりすることが懸念される。また、演出表示装置や演出制御手段における電子部品がノイズによって破壊する虞もある。そこで、ノイズの侵入を防ぐため、演出表示装置の背面側に金属製のシールド板を設けたり、演出表示装置及び演出制御手段に加わるノイズを、アース線を介して外部に放電させたりすることが行われている。例えば、特許文献１には、演出表示装置（表示器７３）と演出制御手段（表示制御基板７５）とをユニットケース内で一体的に設けるとともに、演出表示装置と演出制御手段との間に平板状の導電性部材を配置し、この導電性部材を演出制御手段のアース電極に導通状態とするものが開示されている。
【特許文献１】特開２０００−２７１２９１号
【発明の開示】
【発明が解決しようとする課題】
【０００４】
しかし、演出表示装置の画面が大型化すると、演出表示装置と演出制御手段とを一体的に収容することが困難となり、ひいては演出表示装置に対するノイズ対策として、特許文献１の構成を採用することができなかった。なお、表示画面の周囲には額縁状の枠部材が設けられているが、表示画面の大型化によって枠部材の幅が狭くなることから、この部位からアースを取ることも困難であった。しかも、たとえ、この部位からアースをとることができても、アース線等が露出されるため、見栄えを低下させる虞がある。
【０００５】
そこで、本発明は、上記の実状に鑑み、演出表示装置のアースを確実に行うとともに、アース経路における見栄えの低下を抑制することが可能な遊技機の提供を課題とするものである。
【課題を解決するための手段】
【０００６】
手段１：「前面が開口する箱形または枠形の筐体と、
該筐体の前面を閉鎖する閉鎖位置と前記筐体の前面を開放する開放位置との間で横開きの扉状に回動可能に支持されるとともに前記筐体の内部を視認可能とする透視窓を有する扉形前面部材と、
該扉形前面部材に配置され、遊技者に遊技の進行を指示させることが可能な遊技操作部と、
該遊技操作部の操作等に基づいて遊技の進行を制御する遊技制御手段と、
少なくとも該遊技制御手段が内部に組付けられるとともに、前面の少なくとも一部が開口するケース部材、及び該ケース部材の前面に設けられ前記扉形前面部材の回動方向と同方向に回動可能な樹脂製の前面開閉部材、を有し、前記筐体内に交換可能な状態で収容される機種ユニットと、
前記前面開閉部材の前面側に取付けられ、前記前面開閉部材とともに回動するとともに、所定の演出画像を表示する演出表示装置と、
前記前面開閉部材の背面側に取付けられ、前記前面開閉部材とともに回動するとともに、遊技の進行に準じて所定の演出制御を実行する演出制御手段と、
前記前面開閉部材に形成された開口部を通し前記前面開閉部材の表裏に跨って配置された断面略コ字形で弾性の金属片からなり、前記前面開閉部材の表側に位置する前側部分が前記演出表示装置の裏面の金属板に当接可能で、前記前面開閉部材の裏側に位置する後側部分がアース線に接続される電導性の金具と、
前記前面開閉部材に貫通して設けられたネジ孔に対して前記前面開閉部材の後方からねじ込まれる雄ネジであって、前記前面開閉部材の前面から突出する先端部分によって、前記金具の前記前側部分を背面側から押圧し前記演出表示装置の裏面に向って付勢する雄ネジと
を具備する」ことを特徴とする。
【０００７】
ここで、「筐体」は前面のみが開口する箱状であってもよく、前面及び背面が開口する枠状（筒状を含む）であってもよい。扉形前面部材において「横開きの扉状」とは、扉のように、水平方向の一端側に、軸心方向を略鉛直方向とする回転軸が設けられ、その回転軸を中心に開閉する状態を示したものである。また、「遊技操作部」としては、始動用操作手段（例えば操作レバー）や停止用操作手段（例えばストップボタン）を例示することができる。「遊技制御手段」及び「演出制御手段」としては、具体的にメイン基板及び演出制御基板を挙げることができる。また、「ケース部材」は前面のみが開口するものであってもよく、前面及び背面が開口する枠状（筒状を含む）であってもよく、さらには周面に複数の開口部を備えるものであってもよい。また、「前面開閉部材」は、開口全体を閉塞するものであってもよく、開口の一部のみを塞ぐものであってもよい。また、「演出表示手段」としては、液晶表示装置、ＥＬ表示装置、プラズマ表示装置、またはＣＲＴ等を例示することができる。さらに、演出表示装置の裏面の「金属板」としては、外部電界または外部磁界から遮蔽するためのシールド板を例示することができる。
【０００８】
手段１の構成によれば、筐体の前面には、横開きの扉状に回動可能に支持された扉形前面部材が設けられており、扉形前面部材を閉鎖位置から開放位置に回動させると、筐体の前面の開口が開放される。筐体の内部には、遊技操作部等の操作に基づいて遊技の進行を制御する遊技制御手段が組付けられた機種ユニットが収容されており、機種ユニットごと交換することを可能にしている。このため、遊技機の機種を変更する場合、筐体及び扉形前面部材をそのまま利用し、遊技制御手段を含む、必要最小限の構成のみを交換することが可能になる。したがって、機種変更にかかる費用の負担を軽減するとともに、交換部分の小型化及び軽量化が図れることから運搬や設置における作業性が向上する。特に、ユニットごと交換することから、取扱いが容易となり、遊技店舗においても速やかに交換することが可能になる。
【０００９】
この機種ユニットは、前面の少なくとも一部が開口するケース部材と、その前面に設けられた前面開閉部材とを具備して構成され、前面開閉部材を開くと、ケース部材の前面の開口が開放され、機種ユニットの内部を確認したり、遊技制御手段等に対して作業を行ったりすることが可能になる。逆に、前面開閉部材を閉じると、ケース部材内への前方からの視覚を遮蔽し、透視窓を通した視覚の中に、遊技制御手段が露出されることを防止できる。
【００１０】
また、機種ユニットには、所定の演出画像を表示する演出表示装置が組付けられている。このため、機種ユニットを交換することにより、演出内容だけではなく、演出表示装置の外観、特に表示画面の大きさや形状、あるいは演出表示装置の配置位置も変更することが可能になる。したがって、演出表示装置の重み付けを機種毎に異ならせ、機種のコンセプトとして特徴づけることができる。
【００１１】
ところで、演出表示装置を機種ユニットに組付けるものにおいて、表示画面を、前面開閉部材とは別に機種ユニットの前面に固定するものでは、ケース部材における開口の大きさをある程度確保するために表示画面を小さくしなければならず、ひいては演出表示装置で行われる演出が貧弱となる虞がある。一方、演出表示装置をケース部材の内部に組付けるものでは、前面開閉部材の前方から視認できるように前面開閉部材に窓部を設け、窓部を通して視認させなければならず、迫力のある画像を提供することが困難になるとともに、明瞭さを損なう虞がある。
【００１２】
これに対し、手段１の構成によれば、演出表示装置が前面開閉部材の前面側に取付けられているため、表示画面を比較的大きく形成し、迫力のある画像を明瞭に視認させることが可能になる。また、演出表示装置での演出制御等、遊技の進行に準じて所定の演出制御を実行する演出制御手段が、前面開閉部材の背面側に組付けられているため、取扱いが容易になるとともに、両者を繋ぐ配線が短くなりケース部材内の煩雑さを抑制できる。また、前面開閉部材が開かれると、演出制御手段がケース部材内から飛び出すように出現するため、演出制御手段に対する作業性を著しく向上させることができる。
【００１３】
また、前面開閉部材には、開口部が形成されており、その開口部を通して前面開閉部材の表裏に跨るように、断面が略コ字形である電導性の金具が設けられている。この金具は弾性の金属片からなり、前面開閉部材の表側に位置する前側部分が演出表示装置の裏面の金属板に当接するようになっており、前面開閉部材の裏側に位置する後側部分がアース線に接続されている。つまり、アース線及び金具を介して、演出表示装置の裏面の金属板が電気的に接地された状態となっており、演出表示装置に対してのノイズの侵入を抑制している。このように、前面開閉部材の前面側に取付けた演出表示装置に対し、前面開閉部材の背面側でアース線に接続することから、演出表示装置を前面開閉部材に取付けた後にアース線を接続することが可能になるとともに、アース線が前面開閉部材と演出制御手段との間に配線されることから、アース線の露出による見栄えの低下を抑制することが可能になる。
【００１４】
また、前面開閉部材には雄ネジを螺合可能とするネジ孔が設けられており、前面開閉部材の後方から雄ネジがねじ込まれると、前面開閉部材の前面から突出し、さらに雄ネジの先端部分によって、金具の前側部分を背面側から押圧する。すなわち、雄ネジの推進力によって金具の前側部分を弾性変形させ、演出表示装置の裏面の金属板に向って付勢する。このため、前面開閉部材の前面側に演出表示装置を取付けた後、雄ネジを螺合させるだけで、金具の前側部分を演出表示装置の金属板に圧接させることができ、ひいては金具と金属板とを確実に接触させることが可能になる。すなわち、極めて簡単が工程によって、演出表示装置のアース経路を確保することが可能になる。
【００１５】
手段２：手段１の構成において、「前記金具の前記後側部分には、前記雄ネジが挿通するとともに、前記前面開閉部材に設けられた前記ネジ孔と合致可能な透孔が穿設され、
前記金具は、前記透孔を通してねじ込まれた前記雄ネジによって前記前面開閉部材に固定されている」ことを特徴とする。
【００１６】
手段２の構成によれば、金具の後側部分には、雄ネジが挿通可能な透孔が設けられており、この透孔を通して、雄ネジが前面開閉部材のネジ孔にねじ込まれると、金具が前面開閉部材に固定された状態となる。換言すれば、金具を前面開閉部材に固定させるための雄ネジを用いて、金具の前側部分を演出表示装置の金属板に向って弾性変形させることが可能になる。このように雄ネジを兼用することにより、構成が簡単になるとともに、作業工程が少なくなるため、低廉化を図ることが可能になる。
【００１７】
手段３：手段２の構成において、「前記金具の前記後側部分に接続されるアース線は、該アース線の先端に圧着された端子を介して取付けられ、
前記雄ネジは、前記金具における前記後側部分との間で前記端子を挟持した状態でねじ込まれる」ことを特徴とする。
【００１８】
手段３の構成によれば、アース線の先端には端子（例えばＹ形端子）が圧着されており、端子を金具に取付けることにより金具の後側部分に対してアース線が接続される。特に、本構成では、雄ネジが後側部分の透孔を通して前面開閉部材のネジ孔にねじ込まれる際、後側部分との間で端子を挟持した状態でネジ込まれるようになっている。すなわち、一つの雄ネジをねじ込むことにより、金具の取付け及び前側部分の弾性変形に加え、端子を固定させることも可能にしている。このため、全体の構成が一層簡単になるとともに、作業工程をさらに少なくすることができる。
【００１９】
手段４：手段１〜手段３のいずれか一つの構成において、「前記前面開閉部材の裏面側には後方に向って起伏のある凹凸面が形成され、該凹凸面の中の低くなっている部分に前記金具が配置されている」ことを特徴とする。
【００２０】
手段４の構成によれば、前面開閉部材の裏面側に凹凸面が形成されており、金具は凹凸面の中の低くなっている部分、すなわち後方に向って突出していない部分に配置されているため、前面開閉部材の裏面側に取付けられる演出制御手段と、金具との接触を回避することが可能となり、金具や雄ネジの頭部によって演出制御手段の組付けが困難となることを防止できる。
【００２１】
手段５：手段１〜手段４のいずれか一つの構成において、「前記演出制御手段は、非導電性のケースに収容されている」ことを特徴とする。
【００２２】
手段５の構成によれば、演出制御手段は、樹脂等で形成された非導電性のケースに収容されているため、たとえ金具が前面開閉部材の裏面側に突出した状態で配置されても、金具と演出制御手段との接触を防止でき、電気的な故障を抑制することが可能となる。
【００２３】
手段６：手段１〜手段５のいずれか一つの構成において、「前記金具は、前記開口部の下縁に掛止された状態で固定されている」ことを特徴とする。
【００２４】
手段６の構成によれば、断面コ字形の金具は、開放部分を下方に向け、開口部の下縁に掛止された状態で固定されるため、金具を前面開閉部材に取付ける際に、金具を手で支えなくても、掛止された状態で保持することが可能になる。したがって、例えば片手で作業を行うことが可能となる。特に、金具を開口部の下縁に掛止した際に、金具に穿設された取付用の透孔と前面開閉部材に形成されたネジ孔とが重なるように位置を設定しておけば、透孔とネジ孔との位置合せを極めて容易に行うことができ、作業性を向上させることができる。
【００２５】
手段７：手段１〜手段６のいずれか一つの構成において、「前記金具における前記前側部分の裏面に形成され、前記雄ネジの先端を受ける受止部をさらに備える」ことを特徴とする。
【００２６】
手段７の構成によれば、金具には前側部分の裏面に受止部が形成されており、雄ネジが前面開閉部材にねじ込まれると、雄ネジの先端が受止部に当接する。このため、雄ネジをねじ込む際に金具の前側部分が雄ネジの推進方向（軸方向）から逃げることを防止でき、前側部分を演出表示装置に向って確実に押圧することが可能になる。
【００２７】
手段８：手段１〜手段７のいずれか一つの構成において、「前記機種ユニットにおける前記前面開閉部材は、閉位置と開位置との間で遊動可能に支持され、
前記扉形前面部材によって前記前面開閉部材の遊動状態を規制するとともに、前記扉形前面部材が前記閉鎖位置から前記開放位置に回動する際、前記扉形前面部材の横開き動作を前記前面開閉部材に伝達し、該前面開閉部材を回動させることにより前記ケース部材の前面を開放させる連結具をさらに備える」ことを特徴とする。
【００２８】
手段８の構成によれば、前面開閉部材の回動方向を扉形前面部材の回動方向と同方向にし、扉形前面部材の横開き動作を前面開閉部材に伝達する連結具を備えているため、扉形前面部材を開放させると、連結具を介して、前面開閉部材、さらには演出表示装置及び演出制御手段も同方向に回動しケース部材の前面が開放される。つまり、閉位置と開位置との間で遊動可能に支持された前面開閉部材が、連結具によって扉形前面部材に連結されると、遊動状態が規制され、前面開閉部材、演出表示装置、及び演出制御手段が扉形前面部材に連れ回ることとなる。したがって、一回の横開き操作によって筐体内は勿論、ケース部材の内部も視認させることが可能になる。
【００２９】
手段９：手段１〜手段８のいずれか一つの構成において、「前記遊技制御手段が、前記ケース部材の後面板内面に組付けられ、
前記遊技制御手段の前方の前記ケース部材内に、前記遊技制御手段への配線を行わせるための配線作業空間が形成されている」ことを特徴とする。
【００３０】
手段９の構成によれば、ケース部材の後面板内面に遊技制御手段が組付けられ、その前方に配線作業空間が形成されているため、機種ユニットの内部に組付けられた遊技制御手段に対しての配線作業が容易となる。特に、演出制御手段が前面開閉部材の背面側に取付けられ、前面開閉部材とともに回動することから、配線作業空間を比較的広く確保することが可能となり、作業のしやすさを助長することができる。
【００３１】
手段１０：手段１〜手段９のいずれか一つの構成において、「前記機種ユニットは、前記ケース部材の内部に配置され遊技の状況を表す遊技表現手段を有する」ことを特徴とする。
【００３２】
ここで、「遊技表現手段」は、遊技の状況（遊技の状態や遊技の結果等）を視認可能に表現するものであり、機種ユニットに対して固定状態に組付けられた静止物であってもよく、遊技状態等に基づいて可動する可動物であってもよい。
【００３３】
手段１０の構成によれば、機種ユニットに組付けられた遊技表現手段を遊技者側から視認させることが可能になっている。このため、扉形前面部材を交換しなくても、機種ユニットを交換することにより、遊技機の装飾や演出を変更することが可能となる。つまり、機種ユニットの交換による機種変更の際には、遊技内容や演出内容等のソフト面だけでなく、構造的なハード面においても変更することが可能になり、機種の斬新性を醸し出すことが容易となる。なお、このように、機種ユニットでは、遊技制御手段及び演出制御手段に加え、遊技表現手段も備えられていることから、機種ユニットを、主要なパーツが全てまとまっているものとして扱うことが可能になる。
【００３４】
手段１１：手段１０の構成において、「前記遊技表現手段は、複数の図柄からなる複数の図柄列を有し、遊技媒体の入賞または前記遊技操作部の操作に基づいて変動するとともに、抽選結果または前記遊技操作部の操作に基づいて所定の図柄で停止する回転ドラムである」ことを特徴とする。
【００３５】
手段１１の構成によれば、機種ユニット内には、遊技表現手段として回転ドラムが組付けられる。回転ドラムは、複数の図柄からなる複数の図柄列を有しており、遊技媒体の入賞または遊技操作部の操作に基づいて変動し、抽選結果または遊技操作部の操作に基づいて所定の図柄で停止する。このように、遊技機において最も注意を惹き付ける回転ドラムを、機種ユニット内に組付けることにより、回転ドラムもユニットごと交換することが可能になり、独自性の高い図柄によって機種の斬新性を一層高めることが可能になる。
【００３６】
手段１２：手段１〜手段１１のいずれか一つの構成において、「前記ケース部材の外部の前記筐体内に配置され、遊技機の動作に必要な所定の電力を供給可能な電源装置と、
前記ケース部材の外部の前記筐体内に配設され、前記電源装置から電力が供給されるとともに、前記遊技制御手段または前記演出制御手段によって制御される電気部品と、
前記電源装置及び前記電気部品にハーネスを介して接続されるとともに、前記筐体内に固定状態で取付けられた本体側コネクタと、
前記ケース部材内に組付けられた前記遊技制御手段及び前記演出制御手段にハーネスを介して接続されるとともに、前記本体側コネクタに着脱可能に連結されるユニット側コネクタと
をさらに備える」ことを特徴とする。
【００３７】
手段１２の構成によれば、機種ユニットの外部であって且つ筐体の内部には、電源装置とその電源装置から電力が供給される本体側コネクタとが配置されている。また、筐体の内部または外部には、遊技制御手段または演出制御手段によって制御される電気部品が設けられており、この電気部品もハーネスを介して本体側コネクタに接続されている。一方、機種ユニット内には、遊技制御手段及び演出制御手段に接続されたユニット側コネクタが配置されており、本体側コネクタに着脱可能に連結させることが可能になっている。そして、機種ユニットを筐体内に装着した後、ユニット側コネクタを、本体側コネクタに連結すると、これらのコネクタ及び夫々のコネクタに接続されたハーネスを介して、電源装置から各制御手段に電力が供給され、それらの制御手段を作動させることが可能になるとともに、筐体内に配置された電気部品を制御することが可能になる。したがって、機種ユニットを交換する際の配線作業においても、作業者の負担を大幅に軽減することが可能になる。
【００３８】
手段１３：「前面が開口する箱形または枠形の筐体と、
該筐体の前面を閉鎖する閉鎖位置と前記筐体の前面を開放する開放位置との間で横開きの扉状に回動可能に支持されるとともに前記筐体の内部を視認可能とする透視窓を有する扉形前面部材と、
該扉形前面部材に配置され、遊技者に遊技の進行を指示させることが可能な遊技操作部と、
該遊技操作部の操作等に基づいて遊技の進行を制御する遊技制御手段と、
少なくとも該遊技制御手段が内部に組付けられるとともに、前面の少なくとも一部が開口するケース部材、及び該ケース部材の前面に設けられ前記扉形前面部材の回動方向と同方向に回動可能で、閉位置と開位置との間で遊動可能に支持された樹脂製の前面開閉部材、を有し、前記筐体内に交換可能な状態で収容される機種ユニットと、
前記扉形前面部材によって前記前面開閉部材の遊動状態を規制するとともに、前記扉形前面部材が前記閉鎖位置から前記開放位置に回動する際、前記扉形前面部材の横開き動作を前記前面開閉部材に伝達し、該前面開閉部材を回動させることにより前記ケース部材の前面を開放させる連結具と、
前記前面開閉部材の前面側に取付けられ、前記前面開閉部材とともに回動するとともに、所定の演出画像を表示する演出表示装置と、
前記前面開閉部材の背面側に取付けられ、前記前面開閉部材とともに回動するとともに、遊技の進行に準じて所定の演出制御を実行する演出制御手段と、
前記ケース部材の内部に配置され、複数の図柄からなる複数の図柄列を有し、遊技媒体の入賞または前記遊技操作部の操作に基づいて変動するとともに、抽選結果または前記遊技操作部の操作に基づいて所定の図柄で停止する回転ドラムと、
前記前面開閉部材に形成された開口部を通し前記前面開閉部材の表裏に跨って配置された断面略コ字形で弾性の金属片からなり、前記前面開閉部材の表側に位置する前側部分が前記演出表示装置の裏面の金属板に当接可能で、前記前面開閉部材の裏側に位置する後側部分がアース線に接続される電導性の金具と、
前記前面開閉部材に貫通して設けられたネジ孔に対して前記前面開閉部材の後方からねじ込まれる雄ネジであって、前記前面開閉部材の前面から突出する先端部分によって、前記金具の前記前側部分を背面側から押圧し前記演出表示装置の裏面に向って付勢する雄ネジと
を具備し、
前記金具の前記後側部分には、前記雄ネジが挿通するとともに、前記前面開閉部材に設けられた前記ネジ孔と合致させることが可能な透孔が穿設され、
前記金具は、前記透孔を通してネジ込まれた前記雄ネジによって前記前面開閉部材に固定され、
前記金具の前記後側部分に接続されるアース線は、該アース線の先端に圧着された端子を介して接続され、
前記雄ネジは、前記後側部分との間で前記端子を挟持した状態でネジ込まれている」ことを特徴とする。
【００３９】
手段１３の構成によれば、筐体の前面には、横開きの扉状に回動可能に支持された扉形前面部材が設けられており、扉形前面部材を閉鎖位置から開放位置に回動させると、筐体の前面の開口が開放される。筐体の内部には、遊技操作部等の操作に基づいて遊技の進行を制御する遊技制御手段が組付けられた機種ユニットが収容されており、機種ユニットごと交換することを可能にしている。このため、遊技機の機種を変更する場合、筐体及び扉形前面部材をそのまま利用し、遊技制御手段を含む、必要最小限の構成のみを交換することが可能になる。
【００４０】
この機種ユニットは、前面の少なくとも一部が開口するケース部材と、その前面に設けられた前面開閉部材とを具備して構成され、前面開閉部材を開くと、ケース部材の前面の開口が開放され、機種ユニットの内部を確認したり、遊技制御手段等に対して作業を行ったりすることが可能になる。逆に、前面開閉部材を閉じると、ケース部材内への前方からの視覚を遮蔽し、透視窓を通した視覚の中に、遊技制御手段が露出されることを防止できる。
【００４１】
また、扉形前面部材の横開き動作を前面開閉部材に伝達する連結具を備えているため、扉形前面部材を開放させると、連結具を介して、前面開閉部材も同方向に回動しケース部材の前面が開放される。つまり、閉位置と開位置との間で遊動可能に支持された前面開閉部材が、連結具によって扉形前面部材に連結されると、遊動状態が規制され、前面開閉部材が扉形前面部材に連れ回ることとなる。したがって、一回の横開き操作によって筐体内は勿論、ケース部材の内部も視認させることが可能になる。
【００４２】
また、機種ユニット内には、遊技機において最も注意を惹き付ける回転ドラムが組付けられているため、回転ドラムもユニットごと交換することが可能になり、独自性の高い図柄によって機種の斬新性を一層高めることが可能になる。
【００４３】
また、機種ユニットには、所定の演出画像を表示する演出表示装置が組付けられているため、機種ユニットを交換することにより、演出内容だけではなく、演出表示装置の外観、特に表示画面の大きさや形状、あるいは演出表示装置の配置位置も変更することが可能になる。
【００４４】
また、演出表示装置が前面開閉部材の前面側に取付けられているため、表示画面を比較的大きく形成し、迫力のある画像を明瞭に視認させることが可能になる。また、演出表示装置での演出制御等、遊技の進行に準じて所定の演出制御を実行する演出制御手段が、前面開閉部材の背面側に組付けられているため、取扱いが容易になるとともに、両者を繋ぐ配線が短くなりケース部材内の煩雑さを抑制できる。また、前面開閉部材が開かれると、演出制御手段がケース部材内から飛び出すように出現するため、演出制御手段に対する作業性を著しく向上させることができる。
【００４５】
また、前面開閉部材には、開口部が形成されており、その開口部を通して前面開閉部材の表裏に跨るように、断面が略コ字形である電導性の金具が設けられている。この金具は弾性の金属片からなり、前面開閉部材の表側に位置する前側部分が演出表示装置の裏面の金属板に当接するようになっており、前面開閉部材の裏側に位置する後側部分がアース線に接続されている。つまり、アース線及び金具を介して、演出表示装置の裏面の金属板が電気的に接地した状態となっており、演出表示装置に対してのノイズの侵入を抑制している。このように、前面開閉部材の前面側に取付けた演出表示装置に対し、前面開閉部材の背面側でアース線に接続することから、演出表示装置を前面開閉部材に取付けた後にアース線を接続することが可能になるとともに、アース線が前面開閉部材と演出制御手段との間に配線されることから、アース線の露出による見栄えの低下を抑制することが可能になる。
【００４６】
また、前面開閉部材には雄ネジを螺合可能とするネジ孔が設けられており、前面開閉部材の後方から雄ネジがねじ込まれると、前面開閉部材の前面から突出し、さらに雄ネジの先端部分によって、金具の前側部分を背面側から押圧する。すなわち、雄ネジの推進力によって金具の前側部分を弾性変形させ、演出表示装置の裏面の金属板に向って付勢する。このため、前面開閉部材の前面側に演出表示装置を取付けた後、雄ネジを螺合させるだけで、金具の前側部分を演出表示装置の金属板に圧接させることが可能になり、ひいては金具と金属板とを確実に接触させることが可能になる。
【００４７】
特に、金具を前面開閉部材に固定させるための雄ネジを用いて、金具の前側部分を演出表示装置の金属板に向って弾性変形させることから、構成が簡単になるとともに、作業工程が少なくなるため、低廉化を図ることが可能になる。さらに、一つの雄ネジをねじ込むことにより、金具の取付け及び前側部分の弾性変形に加え、端子を固定させることも可能にしているため、全体の構成が一層簡単になるとともに、作業工程をさらに少なくすることができる。
【００４８】
手段１４：「所定の演出画像を表示する演出表示装置と
遊技の進行に準じて所定の演出制御を実行する演出制御手段と、
前記演出表示装置を前面側に取付けるとともに、前記演出制御手段を背面側に取付ける樹脂製の取付部材と、
前記取付部材に形成された開口部を通し前記取付部材の表裏に跨って配置された断面略コ字形で弾性の金属片からなり、前記取付部材の表側に位置する前側部分が前記演出表示装置の裏面の金属板に当接可能で、前記取付部材の裏側に位置する後側部分がアース線に接続される電導性の金具と、
前記取付部材に貫通して設けられたネジ孔に対して前記取付部材の後方からねじ込まれる雄ネジであって、前記取付部材の前面から突出する先端部分によって、前記金具の前記前側部分を背面側から押圧し前記演出表示装置の裏面に向って付勢する雄ネジと
を具備する」ことを特徴とする。
【００４９】
手段１４の構成によれば、演出表示装置が取付部材の前面側に取付けられ、演出表示装置での演出制御等、遊技の進行に準じて所定の演出制御を実行する演出制御手段が、取付部材の背面側に組付けられているため、取扱いが容易になるとともに、両者を繋ぐ配線が短くなり配線の煩雑さを抑制できる。
【００５０】
また、取付部材には開口部が形成されており、その開口部を通して取付部材の表裏に跨るように、断面が略コ字形である電導性の金具が設けられている。この金具は弾性の金属片からなり、取付部材の表側に位置する前側部分が演出表示装置の裏面の金属板に当接するようになっており、取付部材の裏側に位置する後側部分がアース線に接続されている。つまり、アース線及び金具を介して、演出表示装置の裏面の金属板が電気的に接地された状態となっており、演出表示装置に対してのノイズの侵入を抑制している。このように、取付部材の前面側に取付けた演出表示装置に対し、取付部材の背面側でアース線に接続することから、取付部材に演出表示装置を取付けた後にアース線を接続することが可能になるとともに、アース線が取付部材と演出制御手段との間に配線されることから、アース線の露出による見栄えの低下を抑制することが可能になる。
【００５１】
特に、取付部材には雄ネジを螺合可能とするネジ孔が設けられており、取付部材の後方から雄ネジがねじ込まれると、取付部材の前面から突出し、さらに雄ネジの先端部分によって、金具の前側部分を背面側から押圧する。すなわち、雄ネジの推進力によって金具の前側部分を弾性変形させ、演出表示装置の裏面の金属板に向って付勢する。このため、取付部材の前面側に演出表示装置を取付けた後、雄ネジを螺合させるだけで、金具の前側部分を演出表示装置の金属板に圧接させることが可能になり、ひいては金具と金属板とを確実に接触させることが可能になる。すなわち、極めて簡単が工程によって、演出表示装置のアース経路を確保することが可能になる。
【００５２】
手段１５：手段１〜手段１４のいずれか一つの構成において、「前記遊技機は、パチンコ機である」ことを特徴とする。パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、センターフレーム、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００５３】
なお、パチンコ機としては、種々のタイプのものがあり、一般に「デジパチ」と称されるものに代表される「入球口への入球状態を検出する入球状態検出手段（すなわち遊技状態検出手段）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の装飾図柄からなる装飾図柄列を変動表示させるとともに、所定のタイミングでキャラクタ等を出現させる演出表示手段を更に具備するもの」、一般に「ハネモノ」と称されるものに代表される「役物内での遊技球の振分けによって抽選を行う抽選手段を備えたもの」、一般に「アレパチ」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００５４】
手段１５によると、パチンコ機において、手段１〜手段１４までのいずれかの作用効果を奏することができる。
【００５５】
手段１６：手段１〜手段１４のいずれか一つの構成において、「前記遊技機は、パチスロ機である」ことを特徴とする。パチスロ機とは、遊技媒体であるメダルを投入し、メダルの投入後、始動用操作手段（例えば操作レバー）の操作に応じて複数の図柄からなる図柄列を変動表示させるとともに、その後、停止用操作手段（例えばストップボタン）の操作に応じて図柄列の変動を停止させる、といった実質的な遊技を行うものであり、停止操作機能付きのスロットマシンである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【００５６】
手段１６によると、パチスロ機において、手段１〜手段１４までのいずれかの作用効果を奏することができる。
【００５７】
手段１７：手段１〜手段１４のいずれか一つの構成において、「前記遊技機は、パチンコ機とパチスロ機とを融合させてなる遊技機である」ことを特徴とする。ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【００５８】
手段１７によると、パチンコ機とパチスロ機とを融合させてなる遊技機において、手段１〜手段１４までのいずれかの作用効果を奏することができる。
【００５９】
なお、上記に例示したパチスロ機や、パチンコ機とパチスロ機とを融合させた遊技機等のように、投入する媒体によっては実質的な遊技が行われない遊技機では、一見、遊技媒体が存在しないかのように思われるが、このような遊技機であっても、遊技内容の全体において、遊技球やその他の適宜の物品を用いて行われる遊技を含ませることが想定できる。よって、このような遊技機であっても、遊技媒体を用いて遊技が行われる遊技機の対象とすることができる。
【発明の効果】
【００６０】
このように、本発明によれば、アース線が接続された金具を、演出表示装置の裏面の金属板に確実に接触させることができるとともに、演出表示装置のアース経路における見栄えの低下を抑制することができる。
【発明を実施するための最良の形態】
【００６１】
以下に本発明の実施の形態を遊技機たるスロットマシンを例に図面を参照しつつ説明する。なお、図１はスロットマシンの分解斜視図、図２はスロットマシンを前方右上から見た斜視図、図３は扉形前面部材を省略した状態を示すスロットマシンの縦断面図、図４（ａ）はコネクタ部分の横断面拡大図、図４（ｂ）はコネクタホルダを移動させた状態を示す断面拡大図、図５は前面開閉部材を開放した状態の機種ユニットを前方右上から見た斜視図、図６は機種ユニットの分解斜視図、図７は機種ユニットを後方右上から見た斜視図、図８（ａ），（ｂ）はコネクタホルダの仮止め状態を説明するケース部材の要部の斜視図、図９は配線中継部材の分解斜視図、図１０は配線中継部材のカバー体を省略した正面図、図１１，図１２はコネクタホルダからコネクタを分解した状態を示す分解斜視図、図１３はコネクタホルダを後方左下から見た斜視図で、図１４はコネクタ部分の縦断面拡大図、図１５はコネクタ部分を移動させた状態を示す縦断面拡大図、図１６（ａ）はコネクタの連結保持状態を示す斜視図、図１６（ｂ）はその際用いられる結束バンドの斜視図、図１７はコネクタの連結保持状態を示す縦断面拡大図、図１８は前面開閉部材及び演出表示装置を分解した状態を前方右上から見た斜視図、図１９は前面開閉部材を前方右上から見た拡大斜視図、図２０は前面開閉部材及び演出表示装置を組合せた状態の縦断面図及び金具の斜視図、図２１は図柄変動表示装置を前方右上から見た斜視図、図２２は図柄変動表示装置を後方右上から見た斜視図、図２３は図柄変動表示装置の分解斜視図、図２４はリールを分解した状態を前方右上から見た分解斜視図、図２５はリールを分解した状態を前方左上から見た分解斜視図、図２６はケース部材を止めるストッパーの斜視図、図２７は他の形態を示すストッパーの斜視図、図２８はケース部材のガイド構造を示す要部の断面図、図２９はケース部材のガイド構造を示す要部の断面図、図３０はメダル放出装置を省略してスロットマシンの下半部を示す斜視図、図３１は図３０の分解斜視図、図３２はスロットマシンの裏側から放熱口を見た背面図、図３３は電源装置を示すスロットマシンの一部断面部分正面図、図３４は電源装置を前方左下から見た斜視図、図３５は他の形態を示すもので外本体の側板と電源装置の要部断面図、図３６は透明板を装着した扉形前面部材の要部断面図、図３７はヒンジ金具の分解・組み立て斜視図、図３８はヒンジ金具の連鎖を示す線図、図３９は扉形前面部材を示す要部の横断平面図、図４０は開く途中の扉形前面部材を示す要部の横断平面図、図４１は扉形前面部材の上半部を示す裏側から見た斜視図、図４２（ａ）は連結具を縦方向に切断した断面斜視図、図４２（ｂ）は連結具の突出状態を示す断面斜視図、図４３は他のヒンジ金具の例を示す扉形前面部材の要部横断平面図、図４４は図４３の扉形前面部材の開く途中を示す要部の横断平面図である。
【００６２】
本発明のスロットマシン１は、図１に示すように、前面が開口する箱形の外本体１００と、該外本体１００の前面に回転軸１００ａをもって横開きの扉状に回動可能に取付けた扉形前面部材２００と、複数の図柄を駆動手段で変動させる図柄変動表示装置３００と、外本体１００に対し着脱自在であって前面に開口部４０１を有するケース部材４００と、任意の画像を表示する画像表示体５００と、を有する。ここで、外本体１００が本発明の筐体に相当し、図柄変動表示装置３００が本発明の遊技表現手段及び回転ドラムに相当する。また、図１８に示すように、画像表示体５００は、樹脂製の前面開閉部材５０１と、その前面側に取付けられた演出表示装置５９０とを具備して構成されている。
【００６３】
［外本体］
外本体１００は、図１〜図３に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、天板１０３には、遊技機設置島（図示せず）に設置した状態で該遊技機設置島の上桟（図示しない）と対向する領域内に複数（実施形態では４個）の貫通孔１３２，１３２…が穿設されている。
【００６４】
［外本体−仕切板］
外本体１００内には高さのほぼ中央に棚板状の仕切板１０５が設けられている。該仕切板１０５は金属製であって、図１に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口（図示しない）が形成されている。
【００６５】
［外本体−仕切板−下スペース］
外本体１００内の仕切板１０５より下のスペースには、遊技媒体たるメダルを扉形前面部材２００の前面下部にあるメダル用受皿２０１（図２参照）に放出するメダル放出装置１１０と、メダル放出装置１１０からオーバーフローするメダルを貯めるメダル用補助収納箱１１１と、電源装置１１２等が設けられている。ここで、メダル放出装置１１０が本発明の電気部品に相当する。
【００６６】
［外本体−仕切板−下スペース−メダル放出装置］
メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨んでいる。なお、メダル放出装置１１０のメダル放出機構は、現在公知のどのようなものを採用してもよく、よって詳細な説明を省略する。
【００６７】
［外本体−仕切板−下スペース−電源装置］
電源装置１１２は、図３０〜図３４に示すように、外本体１００の底板１０１と、正面向かって左側の側板１０２と、背板１０４の三部材が直交する内側コーナー部分に取り付けられている。電源装置１１２は、メダル放出装置１１０等の電気部品に電気を供給するためのものであって発熱しやすい部品であり、従って外本体１００の背板１０４には電源装置１１２の取付部位に放熱口１０４ａが開設されている。
【００６８】
電源装置１１２の装置ケース１１２ａは、透明な合成樹脂で形成されている。こうすることにより装置ケース１１２ａの内部が見えるから、電源装置１１２の基板１１２ｓ（図３４参照）等に対する不正工作の発見が容易になる。
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図３４参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
【００６９】
なお、外本体１００の側板１０２には、図３１に示すように凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３５は前記ガード部１０２ｂを溝状にした他の実施形態を示すものであり、この例では装置ケース１１２の上面板１１２ｂの縁を側板１０２側に若干突出させてその先を溝１０２ｃに嵌め込むようになっている。
【００７０】
このように電源装置１１２の装置ケース１１２ａにおいて、外本体１００の側板１０２に当接する側の面をカバー無しの開放構造にして使用時に側板１０２で塞がるようにした場合は、装置ケース１１２ａ内への基板１１２ｓ等の組み込みが開放面を使って行い易く、また、装置ケース１１２ａに基板１１２ｓ等を組み込んだ後の開放面へのカバー付けが不要であるから作業性が向上する。
【００７１】
装置ケース１１２ａの上面板１１２ｂ、側面板１１２ｅ、斜面板１１２ｆ、後面板１１２ｃ、底面板１１２ｒには多数の通気孔１１２ｇ，１１２ｇ…が形成されていて内部に熱がこもらないようになっている。装置ケース１１２ａは、底部に設けた脚部１１２ｈ，１１２ｈ…によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ…を通って低層の比較的冷たい空気が装置ケース１１２ａ内に導入できる。実施形態の通気空間１１２ｉは、外本体１００の放熱口１０４ａに連通するようになっているため、機裏の冷たい空気を通気空間１１２ｉに導入することができる。なお、装置ケース１１２ａの後面板１１２ｃと底面板１１２ｒの境界部に通気空間１１２ｉを嵩上げする逆Ｌ字形の段部１１２ｊ（図３４参照）を形成すれば、脚部１１２ｈの高さと放熱口１０４ａの高さにズレがあっても通気空間１１２ｉを放熱口１０４ａに連通させることができる。
【００７２】
［外本体−仕切板−下スペース−電源装置−固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００７３】
すなわち、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図３０において右方向（横転）への固定が完了する。もちろん電源装置１１２は、下方向に対しては外本体１００の底板１０１によって、また、図３０において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
【００７４】
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００７５】
［外本体−仕切板−下スペース−電源装置−電源コード］
電源装置１１２には外部から電気の供給を受けるための電源コード（図示せず）が接続されている。そして、従来は放熱口１０４ａの横に膨出部を設けてそこから電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
【００７６】
これに対し本例の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００７７】
以上のように本例のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
【００７８】
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを本例のごとく合成樹脂製にした場合には、取付用の突部１１２ｍも一体成形できるため殆どコストが掛からない。よって電源装置１１２の取り付けに要するトータルのコストも従来に比べて削減できる。
【００７９】
さらに、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００８０】
［外本体−仕切板−上スペース］
一方、外本体１００内の仕切板１０５より上のスペースにはケース部材４００が納められ、また、外本体１００の背板１０４の内面には後述する配線手段の中核となる配線中継部材１１３が取り付けられ（図１参照）、さらに背板１０４には配線中継部材１１３より上方に放熱用の通気口１３３が形成されている。
【００８１】
［扉形前面部材］
図２に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述するメイン基板４０９のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、メイン基板４０９のメモリーにデータとして蓄えられているメダルの貯留解除命令（精算による放出命令）を入力するための貯留解除スイッチ２０９と、前記図柄変動表示装置３００を作動させる始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。ここで、操作部２０２が本発明の遊技操作部及び入力装置に相当する。
【００８２】
また、投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。一方、返却樋２１３は表側のメダル用受皿２０１に繋がっており、投入口２０３からメダルセレクタ２０７を通って返却樋２１３に流れたメダルはメダル用受皿２０１に戻る。
【００８３】
［扉形前面部材−透視窓］
扉形前面部材２００は、外本体１００の前面全体をカバーする大きさであって、その上半部は、透明板２１４ａで覆ったゲーム用の透視窓２１４になっている。実施形態の透視窓２１４並びに透明板２１４ａは、図柄変動表示装置３００と画像表示体５００における演出表示装置５９０とが上下に並んで見えるよう通常より大きくなっており、扉形前面部材２００と一体の額フレーム２１６によって図柄変動表示装置３００と演出表示装置５９０との領域が視覚上、上下に区画されている。このように一枚の透明板２１４ａを、図柄変動表示装置３００と演出表示装置５９０との双方をカバーする大きさに設定しておけば、図柄変動表示装置３００と演出表示装置５９０との配置が上下入れ替わっても、そのまま使用することができる。
【００８４】
［扉形前面部材−透視窓−透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように図柄変動表示装置３００と演出表示装置５９０との双方をカバーする程度に大きくても撓みや歪みが生じにくい。
【００８５】
縁部材２１４ｂは、図３６に示したように、後面側に開口する殻構造（中実でなく、内部に空間がある殻のような構造であり、各部の肉厚は任意である。）になっており、その内部空間に発光ユニット２１７と、必要に応じて例えば表面に模様や文字を施した装飾部材（図示せず）が組み込まれる。従って、透明板２１４ａと発光ユニット２１７は、一体の部品として取り扱われる。
【００８６】
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００８７】
また、図３６において、符号２１７ａは発光ユニット２１７の発光体、２１７ｂは発光体２１７ａを支持する反射部材である。左右に位置する発光ユニット２１７の反射部材２１７ｂは、棒状の発光体２１７ａの光をスロットマシン１の周囲に向けて多く反射するように角度が設定されている。なお、透明板２１４ａの縁部材２１４ｂの内部に発光ユニット２１７を組み込んだ形態は、発光体２１７ａをスロットマシン１の、より手前側に配置することができるから、あたかも岬の突端にある灯台のごとく、光を周囲に向けて放射させる場合に有利である。また、上に位置する発光ユニット２１７の反射部材２１７ｂは、発光体２１７ａの光をスロットマシン１の上方に向けて多く反射するように設定されている。
【００８８】
以上の構成である発光ユニット２１７は、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【００８９】
実施形態の透明板２１４ａは以上のような構成であって、扉形前面部材２００の裏側に設けた凹溝２１９（図１参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３６は、このときの扉形前面部材２００の要部を切断したものであり、この図３６から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【００９０】
［扉形前面部材−錠装置］
扉形前面部材２００の自由端側の一側には専用キー（図示せず）を使って開閉操作する錠装置２１５が設けてある。
【００９１】
［図柄変動表示装置］
図柄変動表示装置３００について、図２１〜図２５を基に説明する。図２１に示すように、図柄変動表示装置３００は、リール回転式表示装置であって、個別に回転可能な例えば３個のリール３０１ａ，３０１ｂ，３０１ｃ（以下各リール３０１とする）と、該各リール３０１を組込み・収容する装置ケース３０２とを有し、各リール３０１の周面に描いた複数の図柄（図示せず）の組合せで遊技を行うものである。
【００９２】
装置ケース３０２は、図２３に示すように、底部板３０４と、天部板３０５と、右側の右側板３０６と、左側の左側板３０７と、後面を覆う一部円弧形状の後部板３０８とで囲った箱形であり、各リール３０１の円弧の一部が装置ケース３０２の正面からはみ出す状態になっている。なお、装置ケース３０２は、底部板３０４のみが金属板で形成され、他の部分は樹脂で形成されている。
【００９３】
右側板３０６及び左側板３０７の前側上端部分には、左右外側に向って突出する取付耳部３０６ａ，３０７ａが夫々形成され、取付耳部３０６ａ，３０７ａの略中央にはネジ（図示しない）を挿通可能とする透孔３０６ｂ，３０７ｂ（図２１参照）が前後方向に貫通して穿設されている。また、図示していないが、底部板３０４には、垂直下方に折り曲げられた垂下片が左右方向に複数（例えば３つ）並設されており、それらの垂下片にも、前後方向に貫通する透孔が穿設されている。そして、取付耳部３０６ａ，３０７ａを、ケース部材４００の前面上端に設けられた補強部材４０７（図６参照）にネジで固定し、さらに、垂下片を、ケース部材４００の中央よりも上側に横設された補強桟４０２にネジで固定することにより、図柄変動表示装置３００がケース部材４００に取付けられる。また、図２３に示すように、装置ケース３０２の前縁には、各リール３０１を固定するためのネジ３１３ａ，３１３ｂが螺合される複数のネジ孔３０２ａが所定の間隔で形成されている。なお、下側のネジ３１３ｂは通常の雄ネジであるが、上側のネジ３１３ａは螺合対象物が樹脂成形物であることからタッピングビスが用いられる。
【００９４】
また、装置ケース３０２の前面側には、カバー体３０９が組みつけられている。カバー体３０９は、装置ケース３０２の前面縁部に沿って形成された額縁状の枠部３１０と、枠部３１０の上端及び下端の間に架設され、装置ケース３０２に組み込まれた各リール３０１を仕切るように左右方向に所定の間隔で配置された区画部３１１とから構成されている。なお、区画部３１１の前面は、上下方向の中央部分が遊技者側に向って最も突出するように略円弧状に形成されている。つまり、各リール３０１間の隙間を前方から塞ぐとともに、各リール３０１の円周面に対し連続した面となるように円弧状に形成されている。なお、左右両側に配置された区画部３１１には、左右外側から両側リール３０１ａ，３０１ｃ内の機構を遮蔽する遮蔽部３１１ａが一体的に形成されている。また、枠部３１０における区画部３１１の上側及び下側には、ネジ３１３ａ，３１３ｂを挿通させることが可能な取付孔３１２が穿設されている。
【００９５】
また、図２２に示すように、装置ケース３０２の左側板３０７には、基板ケース３１４によって覆われたリール基板３１５が配置されており、リール基板３１５によって中継された駆動信号により各リール３０１が個別に駆動制御されるようになっている。なお、リール基板３１５には、基板ケース３１４の開口を通して突出する四つのコネクタ３１６ａ，３１６ｂ，３１６ｃ，３１６ｄが設けられており、基板ケース３１４の左側面下側から突出するコネクタ３１６ａを介して、各リール３０１を駆動制御するための信号が入力されるとともに、各リール３０１に収容されたフォトセンサ３２５から送られる検出信号をメイン基板４０９に出力するようになっている。また、基板ケース３１４の上面から突出するコネクタ３１６ｂには、後述するバックライト３２２に接続され且つ後部板３０８に形成された透孔３０８ａを通して配線されたコネクタ（図示しない）が連結されるようになっている。つまり、このコネクタ３１６ｂを介して、バックライト３２２に作動用電源を付与するように構成されている。なお、この作動用電源は、基板ケース３１４の左側面中央に設けられたコネクタ３１６ｄを介してリール基板３１５に供給される。また、基板ケース３１４の底面から突出するコネクタ３１６ｃには、後述する中継板３２６に設けられたコネクタ３１７（装置ケース３０２の後部板３０８から突出するコネクタ３１７）に対し、コネクタ付きハーネス（図示しない）を介して連結されており、各リール３０１内に収容されたリールモータ３２１に対して駆動信号を供給するとともに、フォトセンサ３２５から検出信号を受け取ることが可能になっている。
【００９６】
なお、前記のコネクタ付きハーネスには、各リール３０１ごとに、被覆材の色が互いに異なる一本または複数本の電線が含まれており、また、各リール３０１内に収容された夫々のバックライト３２２には、コネクタ付きハーネスに含まれる電線の色と同系色の電線が接続されている。つまり、各リール３０１ごとにハーネス及び電線の色が異なるように設定されている。これによれば、リールモータ３２１に電力を供給する電線及びフォトセンサ３２５から検出信号を受け取る電線を含むハーネスと、バックライト３２２に電力を供給する電線との色合わせが可能になり、ひいては、ハーネス及び電線と、各リール３０１との照合（すなわち誤配線の有無の確認）が容易になるとともに、各リール３０１の配置位置を電線の色に基づいて確認させることが可能になる。すなわち、スロットマシン１の組付工程において、左中右の各リール３０１の配置順は、間違ってはいけない極めて重要な項目であるが、このように電線の色を異ならせることにより、上記の配置が正しく行われたか否かを容易に視認することが可能となり、スロットマシン１の品質を確保することができる。
【００９７】
また、左側板３０７における基板ケース３１４の上方には、左側板３０７を貫通するコ字形のスリット３３３が形成されており、コネクタ３１６ｂに連結される電線を、結束バンド（図示しない）を用いて左側板３０７とともに結束させることを可能にしている。特に、下側が開いた横転コ字形のスリット３３３によって下端のみが連結された掛止部３３３ａが左側板３０７と一体に形成されるため、結束バンドの一部を撓ませた状態で掛止部３３３ａの上方に挿入すれば、極めて容易に結束バンドを掛止部３３３ａに引掛けることが可能になる。つまり、左側板３０７に対して結束バンドを掛止させるために、左側板３０７に二つの孔を穿設したものでは、結束バンドの先端を二つの孔に対して順に挿通させなければならないため、結束作業が困難になる虞があるが、コ字形のスリット３３３を設けるようにすれば、掛止部３３３ａの上部側から電線を引掛けることが可能になり、作業性が向上する。また、左側板３０７から外方に突出するようにフックを形成することも考えられるが、これによれば、構成が複雑になり、金型費等の製造費が高くなるため好ましくない。
【００９８】
図２３及び図２５に示すように、装置ケース３０２内には、各リール３０１と、夫々のリール３０１を回転可能に支持するとともに回転力を付与するリールモータ３２１と、各リール３０１の右側に配置されリールモータ３２１を固定するモータ取付板３２０と、モータ取付板３２０に固定状態で取付けられるとともに、各リール３０１の周面内側、特に遊技者側の面に沿って配置され各リール３０１を通して遊技者側に光を放射する略円弧状のバックライト３２２とが設けられている。
【００９９】
さらに詳しく説明すると、リールモータ３２１は、正転及び逆転可能な直流ステップモータであり、回転軸３２１ａの先端にフランジ３２３が固着されている。フランジ３２３は、略円板状の部材であって、周面の一部には径方向に切欠かれた嵌合部３２３ａが形成されるとともに、周面に雄ネジ部が設けられた突起３２３ｂが形成されている。これに対応し、リール３０１ａは、右側の側面（図２５では奥側の面）が全体的に開放されているが、左側の面（図２５では前側の面）には、略十字形の側面部材３３０が設けられ、リールモータ３２１のフランジ３２３を取付けることが可能になっている。具体的には、図２５に示すように、側面部材３３０の中心部分には、フランジ３２３の突起３２３ｂが挿通する貫通孔３３０ａを有するとともに、フランジ３２３を内側に収容可能とする円形収容部３３０ｂが形成されており、特に、図２４に示すように、円形収容部３３０ｂには、リール３０１の内側に向って突出するとともに、フランジ３２３の嵌合部３２３ａに嵌め合わせ可能な回転防止突部３３０ｃが形成されている。そして、貫通孔３３０ａを挿通し円形収容部３３０ｂから外部へ突出する突起３２３ｂに対して、ロックネジ３２４が螺合されており、これにより、リールモータ３２１のフランジ３２３がリール３０１ａの側面部材３３０に固定状態で取付けられる。つまり、リールモータ３２１の回転軸３２１ａがリール３０１の側面部材３３０に直結されている。なお、各リール３０１はロックネジ３２４によって軸心上で固定されるため、直径方向の力が作用せず、ひいては回転軸３２１ａのブレを防止することが可能になる。
【０１００】
図２５に示すように、モータ取付板３２０は金属板から形成され、リールモータ３２１を取付けるためのモータ取付部位３２０ａと、バックライト３２２を取付けるためのライト取付部位３２０ｂとを有して構成されている。また、モータ取付板３２０の上端及び下端における正面側（遊技者側）の部分には、垂直方向に折り曲げられた取付片３２０ｃが形成され、取付片３２０ｃの略中央には、前後方向に貫通する透孔３２０ｄが穿設されている。特に、これらの透孔３２０ｄは、図２３に示すように、カバー体３０９に形成された取付孔３１２、及び装置ケース３０２に形成されたネジ孔３０２ａと前後方向で合致する位置に設けられている。つまり、カバー体３０９の前方から、カバー体３０９の取付孔３１２及びモータ取付板３２０の透孔３２０ｄを通して、ネジ３１３を装置ケース３０２のネジ孔３０２ａに螺合させることにより、装置ケース３０２に対してモータ取付板３２０及びカバー体３０９が固定状態で組付けられている。すなわち、カバー体３０９とモータ取付板３２０とが装置ケース３０２に対して共締めされる。このため、装置ケース３０２に対してカバー体３０９とモータ取付板３２０とを別々に固定するものに比べ、作業工程を低減させるとともに、三つの部材、すなわちカバー体３０９、モータ取付板３２０、及び装置ケース３０２における相互の位置決めを正確にしかも簡単に行うことができ、ひいては各リール３０１に対するカバー体３０９のクリアランスを少なくすることができ、各リール３０１間の隙間を精度よく塞ぐことができる。すなわち、装置ケース３０２の内部構造を一層見え難くし、見栄えの低下を抑制することができる。
【０１０１】
また、モータ取付板３２０における下部後端側には、後方に向って延出された延設下部３２０ｅが形成されており、延設下部３２０ｅとモータ取付部位３０２ａとからなるコーナー部分に中継板３２６が取付けられている。この中継板３２６は、リールモータ３２１に接続された電線（図示しない）及びフォトセンサ３２５に接続された電線（図示しない）と、リール基板３１５に接続されるコネクタ付きハーネス（図示しない）とを中継するためのものであり、コネクタ３１７（図２２参照）等を搭載している。また、モータ取付板３２０の上部後端側には、延設下部３２０ｅと同方向に延出された延設上部３２０ｇが形成されており、延設上部３２０ｇには、バックライト３２２に接続された電線（図示しない）を案内するための溝部（図示しない）と、溝部に配線された電線が溝部から逸脱することを防止する電線押え３２７とが取付けられている。電線押え３２７は、透明で弾性変形可能な薄板状の樹脂部材からなり、一端側がネジ３２７ａによって固定されている。このように溝部と電線押え３２７との協働によって電線を適宜の位置に保持することにより、中継板３２６のような基板を設けることなく、電線の遊動状態を防止することができ、ひいては電線が障害となって各リール３０１の回転が制動されたり、回転の際に電線を巻き込んだりすることを回避できる。なお、電線押え３２７の前方には、リールモータ３２１に接続された電線、及びバックライト３２２に接続された電線を纏めた状態で保持する結束部材３２８がモータ取付板３２０に取付けられている。
【０１０２】
また、モータ取付板３２０の中央後端側には、断面Ｌ字形の取付片３２０ｆが、各リール３０１内に向って立設されており、フォトセンサ３２５を支持している。フォトセンサ３２５は、互いに対峙する発光部と受光部とを有し、発光部から発光される光が受光部に到達するか否かに応じた信号を出力するものである。そして、図２４に示すように、各リール３０１における側面部材３３０の内面側には、リール３０１が一回転するごとに、フォトセンサ３２５における発光部と受光部との間を通過する遮光片３３１が内方に向って突出している。つまり、リール３０１を一回転させるごとに、発光部から放射された光が遮光され、それに応じた信号が出力するようになっている。
【０１０３】
ところで、遮光片３３１は発光部から放射された光を遮るものであるため、不透明な部材、例えば黒色の部材から形成されることが好ましく、一方、リール３０１ａの側面部材３３０は、リール３０１ａと一体に成形されることから光透過性の部材、例えば透明部材から形成されることが好ましい。このため、遮光片３３１と側面部材３３０とは一体成形することはできず、側面部材３３０に対して遮光片３３１を取付けるための手段が必要となる。しかし、ネジ等の締結部材を介して取付けるものでは、遮光片３３１を含むリール３０１全体の重心が回転軸から偏心する程度が高くなり、リール３０１ａの回転速度にムラが発生するおそれがある。また、接着剤によって遮光片３３１を接着するものでは、側面部材３３０に対する遮光片３３１の位置決めが困難となり、ひいては各リール３０１の回転位置を正確に検出できなくなるおそれがある。
【０１０４】
そこで、本例では、遮光片３３１をインサート成形によって成形している。つまり、予め形成された遮光片３３１を金型に入れ、リール３０１ａ及び側面部材３３０を射出成形することにより、遮光片３３１と側面部材３３０とを一体的に形成している。これによれば、比較的簡単に形成することができるとともに、側面部材３３０に対する遮光片３３１の位置決め精度を高めることが可能になる。
【０１０５】
バックライト３２２は、略円弧状の外観を呈しており、モータ取付板３２０のライト取付部位３０２ｂに当接する側には、所定の間隔で配置された三つのＬＥＤ３２２ａが、側面部材３３０側に向って光を放射するように配置されている。また、各リール３０１の内面側には、夫々のＬＥＤ３２２ａから放射された光をリール３０１の図柄列（図示しない）側に向って反射させる白色の反射部３２２ｂが形成されている。このため、リール３０１ａの内側において面発光させることが可能になり、略均一な光によって、遊技者側に位置する図柄、特に三つの図柄を、略均一な光によって光らせることが可能になる。
【０１０６】
［ケース部材］
ケース部材４００は、外本体１００の仕切板１０５から上のスペースにほぼ合致する大きさであって、図５及び図６に示すように、底板４０３と、該底板４０３の左右両横に立設した側板４０４，４０４と、底板４０３の後縁に立設した後面板４０５と、該後面板４０５と側板４０４，４０４の上面を覆う天板４０６とからなり、前面に開口部４０１を有する箱形である。
【０１０７】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。そして、この補強桟４０２を境にそれより下が演出表示装置５９０の設置領域として、また、補強桟４０２より上の開口部４０１が図柄変動表示装置３００の設置領域として、さらにまた、画像表示体５００より後方のケース部材４００で囲われた領域が配線作業空間４０８として割り当てられ、その配線作業空間４０８の後面板４０５の内壁面に、主たる制御基板であるメイン基板４０９が装着され、さらにメイン基板４０９以外の制御基板等（例えば後述する演出制御基板５１０）も配線作業空間４０８内に配置されている。ここで、メイン基板４０９は、操作部２０２の操作等に基づいて遊技の進行を制御するものであり、本発明の遊技制御手段に相当する。また、演出制御基板５１０は、遊技の進行に準じて所定の演出制御を実行するものであり、本発明の演出制御手段に相当する。
【０１０８】
ケース部材４００の天板４０６には、図７に示したように天窓部４４３，４４３が形成されている。この天窓部４４３，４４３は、天板４０６の強度を保つための補強帯４４４を挟んで２つに分けられており、その夫々が外本体１００の貫通孔１３２，１３２…（図１参照）を通る軸線との交点を含む領域にあり、該貫通孔１３２，１３２…より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。なお、ケース部材４００の上面に開口部として複数の天窓部４４３を備えることにより、軽量化を図ることができ、輸送時や交換時における作業者の負担を一層軽減することが可能になる。
【０１０９】
ケース部材４００の後面板４０５の外面には、図７に示したように複数のボス４１０，４１０が突設されており、該ボス４１０を外本体１００の背板１０４にプレ加工したボス孔１１４，１１４（図１参照）に嵌めて位置決めされる。なお、このボス４１０，４１０は、後述する配線窓４１１近くに設けられており、一方、外本体１００側のボス孔１１４，１１４は配線中継部材１１３近くに設けられており、これによりケース部材４００の配線窓４１１と背板１０４の配線中継部材１１３の位置決めが正確になる。
【０１１０】
一方、ケース部材４００の底板４０３の底面には、図７に示したように凹段部４１２が形成されており、該凹段部４１２が仕切板１０５の突段部１０６（図１参照）に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６との嵌め合いによってケース部材４００が仕切板１０５の奥に真っ直ぐに案内されるが、例えば図２８に示すように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２９に示したように仕切板１０５に凸形態のレール部材１１６を敷設又は一体にプレス成形し、一方、ケース部材４００の車輪４１４の両端に鍔４１５，４１５を形成し、該車輪４１４の鍔４１５，４１５でレール部材１１６を挟ませるようにしてもよい。
【０１１１】
また、ケース部材４００は、仕切板１０５上の所定の位置にセットした状態で、図１，図２６に示した揺動レバー形態のストッパー１１７，１１７，１１７で止められている。このストッパー１１７は、図１に示すように仕切板１０５の前端部と、天板１０３に垂設した２つの取付具１１８，１１８とに軸着されており、図２６実線のようにケース部材４００の一部に係合する作動姿勢と、図２６想像線のようにケース部材４００に係合しない非作動姿勢とを手動で切り替えてケース部材４００の仕切板１０５上における前方向の動きを規制する。なお、ストッパー１１７を図２７に示すように鍵形にしてケース部材４００に設けた引掛部４１６に係合させるようにすれば、ケース部材４００の仕切板１０５上における上方向の動きも規制することができる。
【０１１２】
また、天板１０３の取付具１１８に軸着したストッパー１１７は、ケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【０１１３】
［画像表示体］
画像表示体５００における演出表示装置５９０は、例えば、少なくとも液晶ディスプレイ（他にもプラズマディスプレイや有機ＥＬディスプレイ等でもよい。）で構成される画像表示可能なパネル形のユニットであり、ケース部材４００の前面開口を開閉可能に閉鎖する前面開閉部材５０１（図１８参照）の前面側に取付けられている。図１８に示すように、前面開閉部材５０１は、下側から２／３の領域が演出表示装置５９０を収容する部分で、上側から１／３の領域が図柄変動表示装置３００の前方に配置される部分となっている。つまり、前面開閉部材５０１の前面側には、周囲に周壁５１５ａが形成された収容部５１５が設けられており、下側から２／３の領域に演出表示装置５９０が収容され、上側から１／３の領域に装飾部材５９１が収容される。なお、前面開閉部材５０１及び装飾部材５９１には、機種ユニット５０の前方から、ケース部材４００内に配置された図柄変動表示装置３００を視認させるための開口部５１６，５９１ａが夫々形成されている。
【０１１４】
また、図１８に示すように、前面開閉部材５０１の裏面側には、演出制御基板５１０を収容する基板ケースユニット５５１、及び小基板ケース５５４等が組付けられている。基板ケースユニット５５１は、透明な樹脂部材からなり、演出制御基板５１０の底面側（すなわち前面開閉部材５０１側の面）を覆う基板ケース下部５５２と、演出制御基板５１０の上面側を覆うとともに基板ケース下部５５２に対して着脱可能な基板ケース上部５５３とから構成されている。このため、前面開閉部材５０１が開かれると、演出制御基板５１０を収容する基板ケースユニット５５１がケース部材４００内から飛び出すように出現するため、演出制御基板５１０に対する作業性を著しく向上させることができる。また、演出表示装置５９０と演出制御基板５１０とを一体的に構成することが可能になり、取扱いが容易になるとともに、ケース部材４００内における配線作業空間４０８の煩雑さを抑制できる。ここで、基板ケースユニット５５１が本発明のケースに相当する。
【０１１５】
ところが、上記のように、前面開閉部材５０１の前面側に演出表示装置５９０を配置し、前面開閉部材５０１の背面側に基板ケースユニット５５１を配置する構成を採用すると、演出表示装置５９０の背面側が前面開閉部材５０１によって覆われるため、演出表示装置５９０に対するノイズ対策として、アースを取ることが困難となったり、アース線等によって見栄えを低下させたりする虞がある。
【０１１６】
そこで、本例では、図１９及び図２０に示すように、演出表示装置５９０が収容される前面開閉部材５０１の収容部５１５に対し、前後方向に貫通する横長四角形状の開口部５２０を形成するとともに、その開口部５２０を通して前面開閉部材５０１の表裏に跨るように、断面が略コ字形である電導性の金具５２２が設けられている。この金具５２２は弾性の金属片からなり、前面開閉部材５０１の表側に位置する前側部分５２３が演出表示装置５９０の裏面の金属板５２１（シールド板）に当接するようになっており、前面開閉部材５０１の裏側に位置する後側部分５２５がアース線５２７に接続されている。つまり、アース線５２７及び金具５２２を介して、演出表示装置５９０の裏面の金属板５２１が電気的に接地された状態となっており、演出表示装置５９０に対してのノイズの侵入を抑制している。このように、前面開閉部材５０１の前面側に取付けた演出表示装置５９０に対し、前面開閉部材５０１の背面側でアース線５２７に接続することから、演出表示装置５９０を前面開閉部材５０１に取付けた後にアース線５２７を接続することが可能になるとともに、アース線５２７が前面開閉部材５０１と演出制御基板５１０（基板ケースユニット５５１）との間に配線されることから、アース線５２７の露出による見栄えの低下を抑制することが可能になる。
【０１１７】
また、前面開閉部材５０１には雄ネジ５３０を螺合可能とするネジ孔５２９が設けられており、前面開閉部材５０１の後方から雄ネジ５３０がねじ込まれると、前面開閉部材５０１の前面から突出し、さらに雄ネジ５３０の先端部分によって、金具５２２の前側部分５２３を背面側から押圧する。すなわち、雄ネジ５３０の推進力によって金具５２２の前側部分５２３を弾性変形させ、演出表示装置５９０の裏面の金属板５２１に向って付勢する。このため、前面開閉部材５０１の前面側に演出表示装置５９０を取付けた後、雄ネジ５３０を螺合させるだけで、金具５２２の前側部分５２３を演出表示装置５９０の金属板５２１に圧接させることができ、ひいては金具５２２と金属板５２１とを確実に接触させることが可能になる。
【０１１８】
また、金具５２２の後側部分５２５には、雄ネジ５３０が挿通可能な透孔５２６が設けられており、この透孔５２６を通して、雄ネジ５３０が前面開閉部材５０１のネジ孔５２９にねじ込まれると、金具５２２が前面開閉部材５０１に固定された状態となる。換言すれば、金具５２２を前面開閉部材５０１に固定させるための雄ネジ５３０を用いて、金具５２２の前側部分５２３を演出表示装置５９０の金属板５２１に向って弾性変形させることが可能になる。このように雄ネジ５３０を兼用することにより、構成が簡単になるとともに、作業工程が少なくなるため、低廉化を図ることが可能になる。
【０１１９】
また、アース線５２７の先端にはＹ形端子５２８が圧着されており、Ｙ形端子５２８を金具５２２に取付けることにより金具５２２の後側部分５２５に対してアース線５２７が接続される。特に、本例では、雄ネジ５３０が後側部分５２５の透孔５２６を通して前面開閉部材５０１のネジ孔５２９にねじ込まれる際、後側部分５２５との間でＹ形端子５２８を挟持した状態でネジ込まれる。すなわち、一つの雄ネジ５３０をねじ込むことにより、金具５２２の取付け及び前側部分５２３の弾性変形に加え、Ｙ形端子５２８を固定させることも可能にしている。このため、全体の構成が一層簡単になるとともに、作業工程をさらに少なくすることができる。ここで、Ｙ形端子５２８が本発明の端子に相当する。
【０１２０】
また、金具５２２には、前側部分５２３の裏面に凹状の受止部５２４が形成されており、雄ネジ５３０が前面開閉部材５０１にねじ込まれると、雄ネジ５３０の先端が受止部５２４に当接するようになっている。このため、雄ネジ５３０をねじ込む際に金具５２２の前側部分５２３が雄ネジ５３０の推進方向（軸方向）から逃げることを防止でき、前側部分５２３を演出表示装置５９０に向って確実に押圧することが可能になる。なお、前側部分５２３の受止部５２４を凸状に形成し、雄ネジ５３０の先端に凹状の窪みを設けるようにしてもよく、このように構成しても、前側部分５２３の逃げを効果的に防止することができる。
【０１２１】
また、断面コ字形の金具５２２は、開放部分を下方に向け、開口部５２０の下縁に掛止された状態で固定される。このため、金具５２２を前面開閉部材５０１に取付ける際に、金具５２２を手で支えなくても、掛止された状態で保持することが可能になる。したがって、例えば片手で作業を行うことが可能となる。特に、金具５２２を開口部５２０の下縁に掛止した際に、金具５２２に穿設された取付用の透孔５２６と前面開閉部材５０１に形成されたネジ孔５２９とが重なるように位置が設定されているため、透孔５２６とネジ孔５２９との位置合せを極めて容易に行うことができ、作業性を向上させることができる。
【０１２２】
さらに、前面開閉部材５０１の裏面側に凹凸面５５０が形成されており、金具５２２は凹凸面５５０の中の低くなっている部分、すなわち後方に向って突出していない部分に配置されている。このため、金具５２２や雄ネジ５３０の頭部によって基板ケースユニット５５１の組付けが困難となることを防止できる。なお、図１８に示すように、演出制御基板５１０は、合成樹脂等で形成された非導電性の基板ケースユニット５５１に収容されているため、たとえ金具５２２が前面開閉部材５０１の裏面側に突出した状態で配置されても、金具５２２と演出制御基板５１０との接触を防止でき、電気的な故障を抑制することが可能となる。
【０１２３】
［画像表示体−ヒンジ金具］
図３７は、ヒンジ金具４２０の分解・組み立て斜視図である。なお、ヒンジ金具４２０は、上下が対称な構造であるため、主として上部について説明する。ヒンジ金具４２０は、ケース部材４００の補強部材４０７に取り付く固定部材４２０ａと、画像表示体５００の裏側（図３７の破線領域５００ｓ参照）に取り付く回動部材４２０ｂと、該回動部材４２０ｂと固定部材４２０ａを連結する短リンク４２０ｃ及び長リンク４２０ｄで構成される。
【０１２４】
ヒンジ金具４２０の固定部材４２０ａは、棚板形態である横向きの固定片４２０ｅを有し、該固定片４２０ｅの上面に長リンク４２０ｄの一端をピンＰ１で、また、固定片４２０ｅの下面に短リンク４２０ｃの一端をピンＰ２で回動自在に軸着する。一方、ヒンジ金具４２０の回動部材４２０ｂは、棚板形態である横向きの軸承片４２０ｆを有し、該軸承片４２０ｆの上面に長リンク４２０ｄの一端をピンＰ３で、また、軸承片４２０ｆの下面に短リンク４２０ｃの一端をピンＰ４で回動自在に軸着する。
【０１２５】
こうして固定片４２０ｅと軸承片４２０ｆと長リンク４２０ｄと短リンク４２０ｃ及びピンＰ１〜Ｐ４は、図３８の線図に示したように四節回転連鎖を構成し、その連鎖の中でも特に、最短リンクである軸承片４２０ｆに向かい合う固定片４２０ｅを固定リンクとする、いわゆる両てこ機構を構成する。この両てこ機構は、図３８（ａ）〜（ｃ）に示すように、画像表示体５００の回動軌道を、扉形前面部材２００の回転軸１００ａを中心とする回動軌道に近似させるべく、それぞれのピン位置が設定されている。つまり、ヒンジ金具４２０が回転中心移動機構に相当しており、扉形前面部材２００の回動位置が変化しても、扉形前面部材２００の回動外縁側と画像表示体５００の回動外縁側との距離が略一定になるようにしている。
【０１２６】
なお、長リンク４２０ｄと短リンク４２０ｃは、画像表示体５００がほぼ９０度回動した（開いた）状態で上下に重なり合うように重合領域４２０ｇ，４２０ｈが設定されており（例えば長リンク４２０ｄの重合領域４２０ｇを三角形に膨出させて短リンク４２０ｃの重合領域４２０ｈに重なるようにする。）、その重合領域４２０ｇ，４２０ｈの夫々にピン孔４２０ｉ，４２０ｊが形成されている。このピン孔４２０ｉ，４２０ｊは、両者を同軸上に揃えて棒状の止めピン（図示せず）を差し込むことにより長リンク４２０ｄと短リンク４２０ｃを連結し、もって両てこ機構をロックして画像表示体５００を開いた位置に固定するためのものである。
【０１２７】
［画像表示体−ロック片］
図５〜図７に示すように、ケース部材４００の縦の補強部材４０７のうちヒンジ金具４２０を設けた補強部材４０７の反対側の補強部材４０７（図６において向かって右側）にはロック片４２１が軸着されており、該ロック片４２１を図６の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。
【０１２８】
［画像表示体−連結具］
ところで、外本体１００の扉形前面部材２００とは別に、ケース部材４００に開閉可能な画像表示体５００が設けられることから、ケース部材４００内を視認したりケース部材４００内で作業したりする場合には、まず手前側の扉形前面部材２００を開放し、その後さらに奥側の画像表示体５００を開放しなければならず、これにより作業性を低下させたり煩わしさを与えることが懸念される。
【０１２９】
そこで、本例のスロットマシン１では、画像表示体５００の回動方向を扉形前面部材２００の回動方向と同方向にするとともに、扉形前面部材２００と前面開閉部材５０１を適宜な連結具７００で連結し、扉形前面部材２００の開閉に連動して画像表示体５００も一緒に開閉させるようにしてある。これによれば、扉形前面部材２００を開放させると、連結具７００を介して画像表示体５００も同方向に回動し、ケース部材４００の前面が開放される。つまり、画像表示体５００が扉形前面部材２００に連れ回ることとなり、一回の横開き操作によって外本体１００内は勿論、ケース部材４００の内部までも視認させることが可能になる。
【０１３０】
ここで、前記のように実施形態の扉形前面部材２００と画像表示体５００とは、ヒンジ金具４２０の両てこ機構によって、画像表示体５００の回動軌跡が扉形前面部材２００の回転軸１００ａを回転中心とする回動軌跡に近似するようになっているものの、それでもなお両者の動きには相対的なずれが生じる。そこで、実施形態の連結具７００は、図４１及び図４２に示すように、画像表示体５００の自由端側の裏面に固定鞘部材７０１を形成し、該固定鞘部材７０１の内部に摺動自在な状態にロッド７０２を納め、そのロッド７０２の先端を扉形前面部材２００の裏面（具体的には錠装置２１５のベース部材２１５ａ）に対し、止め軸７０３で回転可能な状態に連結してある。こうすることにより、図４０のように、扉形前面部材２００の開閉に連動して画像表示体５００が扉形前面部材２００の付属部品であるかのごとく一緒に開閉し、その際生じる両者の動きの相対的なずれを連結具７００のロッド７０２が固定鞘部材７０１に出入りして吸収する。
【０１３１】
なお、ロッド７０２が画像表示体５００の回動外縁（自由端）から最も突出したときの最大突出長さは、画像表示体５００が開放位置である場合（例えば９０°開放された場合）の、扉形前面部材２００の回動外縁（止め軸７０３の位置）と画像表示体５００の回動外縁との距離に基づいて設定されている。このため、ロッド７０２の長さを必要最小限の長さとすることができ、連結具の大型化を抑制することが可能になる。
【０１３２】
また、止め軸７０３は、錠装置２１５のベース部材２１５ａの一部を曲げて形成した支持片２１５ｂ，２１５ｂ，２１５ｂに対し、上下動自在に装着されており、スプリング７０３ａにより常時下向きに付勢されている。よって、この止め軸７０３は、スプリング７０３ａの付勢に抗して上動させることが可能であり、上動させて下端を浮かせることによって前記連結具７００のロッド７０２の着脱が可能である。すなわち、ロッド７０２の先端部分に形成された軸孔部７０２ａに対し上方から止め軸７０３を挿入させ、スプリング７０３ａの付勢力によって保持することが可能になっている。
【０１３３】
また、図４１において、符号７０４は連結具７００の固定鞘部材７０１の上面に設けた弾性的な片持ち梁式のストッパであって、止め軸７０３から外したロッド７０２を固定鞘部材７０１の内部に納めて保持するためのものであり、ロッド７０２の上面に形成した溝７０５の端部の引掛壁７０２ｂに係合してロッド７０２の盲動を防止する。ロッド７０２には、その側面に摺動方向と直交する方向に摘み片７０６が突設されており、該摘み片７０６を摘んでロッド７０２を強制的に移動させることによりストッパ７０４のロックが外れるようになっている。また、固定鞘部材７０１の先端側底面には、抜止め防止片７０１ａが垂下され、ロッド７０２の溝７０５内に挿入されている。この抜止め防止片７０１ａは、ロッド７０２が最も突出した際に引掛壁７０２ｂと当接し、ロッド７０２が固定鞘部材７０１から抜け出ることを阻止するものである。
【０１３４】
また、図４１において、連結具７００の近傍にある符号５０９は、画像表示体５００の回動外縁側の裏面に突設した係合部である。該係合部５０９は、ケース部材４００の開口部４０１を横切る補強桟４０２に係合して、閉じ位置にある画像表示体５００の自由端側の荷重を支えるものである。なお、図６に示したように、補強桟４０２には、係合部５０９を補強桟４０２の上面に円滑に導くべく、画像表示体５００に向かって下り傾斜する滑り台式の案内部（図示していない）が設けてある。また、画像表示体５００の係合部５０９は、画像表示体５００とは別の潤滑性に優れた合成樹脂で形成されており、画像表示体５００に対し着脱自在（交換自在）に装着されている。
【０１３５】
ところで、扉形前面部材２００と画像表示体５００の回動軌跡の相違に起因する動きの相対的なずれは、上記のような伸縮自在なロッド形式の連結具７００の他、柔軟なワイヤーにしても吸収することができる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が付勢力の作用で連結具を引っ張りつつ自力で閉じるから、扉形前面部材２００と画像表示体５００がぶつからない。もちろん扉形前面部材２００と画像表示体５００の連れ回りのための手段は上記に限定されない。例えば、上記において連れ回りのための一要素たるヒンジ金具４２０は、上記のような両てこ機構の構造に限定されず、図４３，図４４に示したような、単独のピン４２０ｋを中心にして画像表示体５００を回動させる単純なものであってもよい。
【０１３６】
ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えばメイン基板４０９や演出制御基板５１０）がブロックできるから、防犯性能の向上に効果がある。
【０１３７】
ケース部材４００の開口部４０１上縁と閉じた画像表示体５００の上縁との前後間には隙間１０が設けられており、該隙間１０に通した指で天板４０６の補強部材４０７が掴めるようになっている。また、ケース部材４００の天板４０６の前方中央部分（天窓部４４３，４４３の間の補強帯４４４（図７参照））には把手口４２２が形成されており、該把手口４２２に通した指で天板４０６の補強部材４０７が掴めるようになっている。従ってケース部材４００は、取り扱う場所や姿勢に応じて該把手口４２２と隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図３に示したように把手口４２２（図７参照）が外本体１００の奥に隠れて指が入らないため、前記隙間１０から補強部材４０７に指を掛けてケース部材４００を引っ張り出す、という具合である。
【０１３８】
［前面開閉部材−照明装置］
図３に示すように、前面開閉部材５０１の前側に収容された装飾部材５９１の背面側には、下方に向って光を放射する複数の照明装置５０２ａと、該照明装置５０２ａの下方に配置され照明装置５０２ａから放射された光を遊技者側に向って反射させる反射部材５０２ｂとが配設されている。特に反射部材５０２ｂは、下側ほど装飾部材５９１に近づくように湾曲した白色の反射面を前面に有しており、装飾部材５９１の略全域に対して光を略均等に照射している。なお、装飾部材５９１は光透過性の部材からなり、反射部材５０２ｂによって反射された光は、装飾部材５９１を通して外部（遊技者側）に放射される。つまり、照明装置５０２ａ及び反射部材５０２ｂによって装飾部材５９１を面発光させることが可能となっている。
【０１３９】
［配線手段］
外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えばメイン基板４０９等（ケース部材側の電気部品の総称として単に「ケース部材側電気部品」という場合もある。）とは電気的に接続されている。そして、本例のスロットマシン１は、画像表示体５００とケース部材４００とからなる機種ユニット５０が外本体１００に対し着脱自在であるため、機種ユニット５０の交換等に際して本体側電気部品（筐体側電気部品）とケース部材側電気部品とを簡単に接続又は切り離すための合理的な配線手段が設けられている。
【０１４０】
［配線手段−配線中継部材］
前記のように外本体１００の背板１０４の内面上部には、図９に示した配線中継部材１１３が取り付けられている。該配線中継部材１１３は図３に示したように、ケース部材４００の配線窓４１１に対応する位置にあって該配線窓４１１からケース部材４００の空きスペース４１７に臨むようになっている。配線中継部材１１３は、図９に示すように、本体側電気部品につながる本体側配線類１１９と、ケース部材側電気部品につながるケース側配線類４２３（図１１参照）とを中継するものであって、外本体１００の背板１０４にビス止めされる取付板１２０と、該取付板１２０の前面に被さるカバー体１２１と、該カバー体１２１と取付板１２０の間に納められる複数（実施形態では大小２枚）のコネクタ基板（以下「コネクタ接続用端子基板」という場合もある。）１２２，１２３とからなる。
【０１４１】
２枚のコネクタ基板１２２，１２３のうち、図９，図１０において左側に位置する大きい方のコネクタ基板１２２は取付板１２０に対して固定的に取り付けられており、メイン基板４０９につながっているハーネス４２４の先端のコネクタ４２５（図１１参照）と対をなすコネクタ１２４が設けられている。ここで、コネクタ４２５が本発明のユニット側コネクタに相当し、コネクタ１２４が本発明の本体側コネクタに相当する。つまり、コネクタ４２５をコネクタ１２４に連結することにより、メイン基板４０９に作動用電力を供給するとともに、ケース部材４００の外部に配置された本体側電気部品に対し、メイン基板４０９から制御用の信号を送信することが可能になる。
【０１４２】
一方、図９，図１０において右側に位置する小さい方のコネクタ基板１２３は、取付板１２０とカバー体１２１の間の隙間に非固定的な遊動可能状態に取り付けられており、従って図１０拡大図に示すように上下方向に移動可能であり、また、左右方向にも移動し得る。この小さいコネクタ基板１２３には、メイン基板４０９以外のケース部材側電気部品につながっているハーネス４２６の先端のコネクタ４２７（図１１参照）と対をなすコネクタ１２５が設けられている。なお、該コネクタ１２５とコネクタ１２４は、プリント基板にハンダ付け等の固着手段で固着する基板固着型であり、安価なＤＩＮ規格のものが使われている。ここで、コネクタ４２７が本発明のユニット側コネクタに相当し、コネクタ１２５が本発明の本体側コネクタに相当する。つまり、コネクタ４２７をコネクタ１２５に連結することにより、演出制御基板５１０から、扉形前面部材２００の裏側に設けられたランプ駆動基板（図示しない）やスピーカ（図示しない）に駆動信号が送られ、これらを動作させることが可能となる。
【０１４３】
また、取付板１２０の前面に被さるカバー体１２１は、コネクタ１２４，１２５が通る大小２つの開口１２６，１２７と、該開口１２６，１２７と横並びの位置に突設した支持筒１２８と、下半部前方に張り出すトンネル状の配線ダクト１２９と、後述する本体側ガイド部４５３とを有する。
【０１４４】
配線中継部材１１３に接続する本体側配線類１１９は、配線ダクト１２９の内部を通り、外本体１００（図１参照）の側板１０２，１０２側に振り分けられ、該側板１０２，１０２と背板１０４のコーナー付近でほぼ垂直に向きを変え、その多くは仕切板１０５の奥に設けた配線用の開口（図示しない）を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口とは無関係にそのまま接続される。
【０１４５】
［配線手段−コネクタ４２５，４２７］
上記のように配線中継部材１１３に設けられている２つのコネクタ１２４，１２５には、ケース部材４００のメイン基板４０９につながっているハーネス４２４の先のコネクタ４２５と、演出制御手段５１０につながっているハーネス４２６の先のコネクタ４２７がそれぞれ接続されている。
【０１４６】
この２つのコネクタ４２５，４２７は、図１１に示すように１つのコネクタホルダ４２８に一体に取り付けられている。該コネクタホルダ４２８は、コネクタ４２５，４２７がビス止めされるホルダー主体４２９と、ほぼ中央に透孔４３０を有しホルダー主体４２９の両横に突設した板状の取着片４３１と、該取着片４３１の透孔４３０に装着した周知のボタン形パネルファスナー４３２（商品名「ナイラッチ」：登録商標）と、後述するユニット側ガイド部４５２とからなり、図４に示すように配線中継部材１１３の支持筒１２８の先に取着片４３１を当て、該取着片４３１のボタン形パネルファスナー４３２を支持筒１２８に差し込んでロックしてある。従ってコネクタホルダ４２８が固定手段たる支持筒１２８に固定され、ひいては配線中継部材１１３に固定されるため、コネクタ４２５，４２７とコネクタ１２４，１２５の結合が外れない。
【０１４７】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり機種ユニット５０単体で工場出荷から設置完了までの間、コネクタ４２５，４２７は、ケース部材４００に設けた仮止め棚４１８に仮止めされている。
【０１４８】
仮止め棚４１８は、図４及び図８に示したようにケース部材４００の内側から配線窓４１１（図７参照）に向かわせた棚板状の部材であり、コネクタホルダ４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダ４２８の取着片４３１が嵌まり得る間隔が設けてある。なお、一方のベンチ側板４３４は、先端に指掛部４３６を延設した薄板構造であって、指掛部４３６に指を掛け図４（ｂ）矢示Ｘ方向に力を加えることにより一端支持の板バネのごとく外向きに反らせ得るようになっており、その反らせた状態で内向き爪片４３５，４３５，４３５からコネクタホルダ４２８の取着片４３１が簡単に外れるようになっている。
【０１４９】
しかして、仮止め棚４１８のベンチ部４３３にコネクタホルダ４２８を載置し、該コネクタホルダ４２８の取着片４３１をベンチ側板４３４の内向き爪片４３５，４３５，４３５の間に嵌めることによってコネクタホルダ４２８が仮止め棚４１８に仮止めされる。もちろん仮止めと言っても、ケース部材４００の輸送中にコネクタホルダ４２８が仮止め棚４１８から外れない強度を有する設定になっており、従ってケース部材４００が外本体１００に組み込まれる前までは、コネクタホルダ４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２５の先にあるコネクタ４２５，４２７が、ケース部材４００内の部品に当たってその部品はもちろん、自らも損傷する、というようなおそれがない。
【０１５０】
そして、図４（ｂ）→図４（ａ）に示すように、ケース部材４００を外本体１００に固定した後の配線工程で、上記のように一方のベンチ側板４３４を外向きに反らせてコネクタホルダ４２８を仮止め棚４１８から外し、そのコネクタホルダ４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。
【０１５１】
以上のようにして配線中継部材１１３に取り付けたコネクタホルダ４２８は、外本体１００の背板１０４を支持基盤として安定し、ケース部材４００から離間していて接触しないため、輸送時の振動等で外本体１００と機種ユニット５０が相対的に動いても無理な負荷が加わらない。
【０１５２】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた機種ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダと、
（ｆ）該コネクタホルダを仮止めするためケース部材に設けた仮止め部材と、
（ｇ）前記コネクタホルダを前記配線中継部材に固定するための固定手段と、を有し、
（ｈ）機種ユニットを外本体に装着する前の状態で前記コネクタホルダを仮止め部材に仮止めし、機種ユニットを外本体に装着した状態で前記コネクタホルダを仮止め部材から固定手段に付け替えてコネクタホルダのコネクタを配線中継部材に接続するようにしたことを特徴とする
（ｉ）遊技機。
【０１５３】
上記の遊技機は、機種ユニット５０の外本体１００への装着とコネクタ同士の結合とを別々に行うようにしたものであるが、これとは対照的に、例えば機種ユニット５０に直接コネクタを取り付け、機種ユニット５０を外本体１００に押し込む動作で自動的にコネクタ同士を結合させる、という方式が考えられる。しかしこの方式は、質量の大きな機種ユニット５０が輸送中などに外本体１００の内部で振動した場合、大きな負担がコネクタ結合部に掛かるため信頼性に不安があり、その対策にコストが掛かる課題がある。
【０１５４】
また、本発明の遊技機は、外本体１００に１枚の扉形前面部材２００を取り付け、該扉形前面部材２００に対して機種ユニット５０を物理的に独立させた構成であるが、これとは対照的に、扉形前面部材を上下２段に分割し、上部の扉形前面部材を機種ユニット５０側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【０１５５】
これに対し本発明の遊技機は、外本体１００に１枚の扉形前面部材２００を取り付け、該扉形前面部材２００に対して機種ユニット５０を物理的に独立させた構成であり、さらに、コネクタホルダ４２８を配線中継部材１１３に接続した後、該コネクタホルダ４２８は、外本体１００に固定した部品（配線中継部材１１３）と結合し機種ユニット５０から離間した独立構造になっているため、プリント基板にハンダ付けして用いる低コストで一般的なコネクタを使用した場合でも、輸送中においても、遊技中においても信頼性・耐久性に不安がない。また、機種ユニット５０のみが機種変更時の交換対象であり、扉形前面部材２００は交換対象とならないため、機種変更のための遊技場の負担も軽くなる。
【０１５６】
［コネクタ４２５，４２７とコネクタ１２４，１２５の結合］
前記のようにコネクタ４２５及びコネクタ４２７は、１つのコネクタホルダ４２８に取り付けられている。こうすることによりコネクタホルダ４２８を配線中継部材１１３の所定の位置にセットする１回の動作で２つのコネクタ４２５，４２７の接続が完了する。しかし現実の問題として、２つのコネクタ４２５，４２７とコネクタホルダ４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【０１５７】
これに対し本例の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダ４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【０１５８】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた機種ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダと、
該コネクタホルダを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダに装着し、さらにそのコネクタホルダに対しコネクタグループの中の１つのコネクタを固定すると共に他のコネクタをコネクタホルダに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた機種ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダと、
該コネクタホルダを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダに対しコネクタグループの中の１つのコネクタを固定すると共に他のコネクタをコネクタホルダに対しコネクタの結合方向と直交する方向に遊動可能な状態に取り付けるようにしたことを特徴とする遊技機。」
【０１５９】
以上の遊技機は、固定したコネクタ接続用端子基板のコネクタに照準を合わせてコネクタホルダを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。従って１つのコネクタホルダを用いて複数系統のコネクタの一括接続が可能である。しかも使用しているコネクタは、プリント基板にハンダ付けして用いるような汎用的で安価な例えばＤＩＮ規格のものであり、コストも安い。
【０１６０】
また、コネクタホルダは、ナイラッチ（登録商標）等の固定手段で配線中継部材、ひいては該配線中継部材を介して外本体の背板に確実に固定される。一方、コネクタホルダと機種ユニットの間では、フレキシブルなハーネスを介してつながっているのみであり、機種ユニットが動いたとしても、その動きはフレキシブルなハーネスが吸収するので、コネクタホルダに動きは伝わらない。このため、たとえ輸送中の振動により外本体と機種ユニットの間に相対的な動きが生じても、コネクタホルダは、外本体のみと一緒に動き、機種ユニットの干渉を受けないから、コネクタの結合部には全く負荷が掛からない。よってコネクタ結合の信頼性が非常に高い。
【０１６１】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。また、本例では、コネクタ４２５，１２４の方がもう一方のコネクタ４２７，１２５より先に結合するようになっており、そうすることにより結合照準のコネクタ同士が合わせやすい。
【０１６２】
また、凸形のコネクタ４２５，４２７の凸部先端の周縁角部及び／又は凹形のコネクタ１２４，１２５の差込口の周縁角部に面取り部（直線的な面取り、曲線的な面取りのいずれも可）を形成しておけば、面取り部のテーパに沿った誘導作用が、コネクタ同士の結合性をより良好にする。
【０１６３】
また、実施形態のように、配線中継部材１１３のコネクタ基板１２２，１２３を遊動可能にする構成の他、コネクタホルダ４２８側のコネクタ４２５，４２７の何れか一方を遊動可能にすることも可能であり、その場合も上記と同様の作用効果が得られる。なお、かかるコネクタホルダ４２８の具体例を図１２に示した。この例では、コネクタホルダ４２８のホルダー主体４２９に雌ねじ付きの受筒４２９ａを突設し、一方、コネクタ４２７の両横に遊孔４６９ａを有する耳片４２７ｂを形成し、コネクタホルダ４２８の受筒４２９ａにコネクタ４２７の遊孔４６９ａを遊嵌させ、座金付きのビス４６９をもって耳片４２７ｂの抜け止めとしている。そうすることによりコネクタ４２７は、コネクタホルダ４２８に対し、遊孔４６９ａと受筒４２９ａの径の差の範囲で自由に遊動し得る。この場合のコネクタ基板１２２，１２３は、一体にして取付板１２０に固定すればよい。また、実施形態では２つのコネクタを１つのコネクタグループとして取り扱ったが、１つのコネクタグループのコネクタ数は２つ以上でもよい。
【０１６４】
また、本例では、コネクタ１２４とコネクタ４２５、及びコネクタ１２５とコネクタ４２７との連結作業をさらに容易にするために、コネクタホルダ４２８の挿入方向を案内する機構を備えている。具体的に説明すると、図４（ｂ）及び図９に示すように、外本体１００の背板１０４において、コネクタ基板１２２及びコネクタ基板１２３を覆うように樹脂製のカバー体１２１が設けられていることは、前述した通りであるが、このカバー体１２１には、コネクタホルダ４２８側に向って突出する本体側ガイド部４５３が形成されている。本体側ガイド部４５３は、開口１２６の下側に配置されており、横倒した四角柱状の外観を呈する突出部４６２と、左右方向の中央部分において上下方向に貫通するスリット状の本体側透孔４６１とから構成されている。なお、この本体側ガイド部４５３は、カバー体１２１と別々に形成し接着するようにしてもよいが、本例では、カバー体１２１と一体に成形されている。
【０１６５】
一方、図４（ｂ）及び図１３に示すように、コネクタホルダ４２８の底面には、本体側ガイド部４５３と対向するようにユニット側ガイド部４５２が形成されている。ユニット側ガイド部４５２は、本体側ガイド部４５３の突出部４６２が挿入可能な穴部４６３を有する穴部形成部材４６４を備えている。つまり、カバー体１２１に形成された本体側ガイド部４５３と、コネクタホルダ４２８に設けられたユニット側ガイド部４５２との協働によって、外本体１００側（配線中継部材１１３側）のコネクタ１２４，１２５（以下、「本体側コネクタ１２４等」という）と、コネクタホルダ４２８に組み付けられたコネクタ４２５，４２７（以下、ユニット側コネクタ４２５等）という）との連結作業を一層容易なものとしている。すなわち、配線中継部材１１３に固定された本体側コネクタ１２４等に対してユニット側コネクタ４２５等の嵌合方向が案内されるように構成されている。具体的には、図１５に示すように、ユニット側コネクタ４２５等と本体側コネクタ１２４等とを対向させた場合、穴部形成部材４６４における穴部４６３の開口部分と突出部４６２との距離ｍは、ユニット側コネクタ４２５等と本体側コネクタ１２４等との距離ｎよりも短くなっており、突出部４６２の先端が穴部４６３に挿入され穴部４６３の周面に沿って相対的に摺動する途中で、ユニット側コネクタ４２５等と本体側コネクタ１２４等とが当接し、さらに、図１４に示すように突出部４６２の先端が穴部４６３の奥側まで挿入されると、ユニット側コネクタ４２５等と本体側コネクタ１２４等とが連結されるようになっている。したがって、円滑に且つ容易に連結させることが可能になり、作業性を大幅に高めることができる。なお、ユニット側コネクタ４２５等と本体側コネクタ１２４等とが完全に連結された状態でも、突出部４６２は穴部４６３の最も奥の壁には達しないようになっている。このため、突出部４６２の長さまたは穴部４６３の深さに製造上の誤差が生じても、ユニット側コネクタ４２５等と本体側コネクタ１２４等との連結を確実に行うことが可能となる。また、コネクタホルダ４２８にユニット側ガイド部４５２を形成することから、一つのユニット側ガイド部４５２によって、複数のユニット側コネクタ４２５等の嵌合をまとめて案内することができる。
【０１６６】
ところで、カバー体１２１に形成された突出部４６２とコネクタホルダ４２８に形成された穴部４６３とによって、ユニット側コネクタ４２５等の嵌合方向を案内するものでは、少なくとも突出部４６２の先端が本体側コネクタ１２４とユニット側コネクタ４２５との連結部分よりも前方に突出することになる。このため、突出部４６２がコネクタ１２４よりも上方に配置されたものでは、コネクタ１２４とコネクタ４２５との連結部分が突出部４６２によって部分的に遮られることになり、例えばコネクタ１２４とコネクタ４２５との間に異物が挟まっていても気づかない虞がある。また、コネクタ同士の連結状態を視認させることが困難となる場合もある。これに対し、本例では、穴部４６３を形成するブロック状の穴部形成部材４６４をコネクタホルダ４２８の底面に配置しているため、突出部４６２または穴部形成部材４６４によってコネクタ１２４とコネクタ４２５との連結部分が遮蔽されてしまうことを防止でき、連結状態の目視確認を容易に行わせることが可能となる。
【０１６７】
ところで、本体側コネクタ１２４等と、ユニット側コネクタ４２５等とを互いに分離可能な状態で連結するものにおいては、コネクタ１２４とコネクタ４２５、またはコネクタ１２５とコネクタ４２７とが互いに分離され、いずれかのコネクタに不正な制御手段や不正な部品が取り付けられるおそれ、すなわち不正な信号に基づいた遊技が行われるおそれがある。なお、この問題を解決するため、ユニット側コネクタ４２５等を、本体側コネクタ１２４等に連結した後、ユニット側コネクタ４２５等と本体側コネクタ１２４等とを分離不能な状態で固着させることも考えられるが、これによれば、機種ユニット５０の取外しが極めて困難になり、機種ユニット５０を交換可能とした利点がなくなる。
【０１６８】
そこで、本例では、機種ユニット５０が外本体１００内に収容され、且つユニット側コネクタ４２５等が本体側コネクタ１２４等に連結された後、図１６（ａ）に示すように、結束バンド４５４によってユニット側ガイド部４５２と本体側ガイド部４５３とを結束し、ユニット側コネクタ４２５等と本体側コネクタ１２４等との連結状態を保持するようにしている。特に、この結束バンド４５４は、痕跡生成部材からなり、ユニット側コネクタ４２５等と本体側コネクタ１２４等との連結状態が解除されると（すなわちユニット側コネクタ４２５等に対して別の不正部材を連結させることが可能な状態になると）、痕跡が残されるようになっている。
【０１６９】
さらに詳しく説明すると、図１５に示すように、ユニット側ガイド部４５２またはコネクタホルダ４２８の少なくともいずれか一方にはユニット側透孔４６０が設けられ、本体側ガイド部４５３には、連結した際にユニット側透孔４６０に重ね合わすことが可能な本体側透孔４６１が設けられているため、ユニット側透孔４６０及び本体側透孔４６１を通して結束バンド４５４を結束させることにより、本体側ガイド部４５３に対してユニット側ガイド部４５２を固定させることができ、ひいてはユニット側コネクタ４２５等と本体側コネクタ１２４等との連結状態が保持される。結束バンド４５４は、図１６（ｂ）に示すように、鋸歯状列歯を片面側に設けたバンド部４５５と、バンド部４５５の一端側に設けられバンド部４５５を挿入させることが可能な挿通孔を有する頭部４５６と、その頭部４５６における挿通孔の内部に形成され、バンド部４５５の鋸歯状列歯を係止可能で且つ係止後の解除操作が不能な係止爪４５７と、バンド部４５５の延長上に形成されロゴが刻印されたロゴ表示部４５８とを具備して構成されている。このため、図１６（ａ）及び図１７に示すように、ユニット側透孔４６０及び本体側透孔４６１に結束バンド４５４のバンド部４５５を通し、その後、そのバンド部４５５を頭部４５６の挿通孔に挿入させると、バンド部４５５の片面側に形成された鋸歯状列歯が、挿通孔の内部に形成された係止爪４５７に係止され、本体側ガイド部４５３とユニット側ガイド部４５２とが結束される。そして、挿通孔に対しバンド部４５５を深く挿入するほど環状の部分（結束部分）が収縮され、締付力が強くなる。特に、係止爪４５７は、鋸歯状列歯を一旦係止させると、その後の解除操作ができないように構成されているため、ユニット側コネクタ４２５等と本体側コネクタ１２４等との連結状態が保持され、不正行為を防止することが可能になる。また、結束バンド４５４が切断された場合には、本体側コネクタ１２４等からユニット側コネクタ４２５等を外すことが可能になるが、この場合には、結束バンド４５４が切断されたという痕跡が残ることから、不正な行為が行われたか否かを把握することが可能になる。なお、遊技店舗において旧機種の機種ユニットを取外す際には、結束バンド４５４を鋏等で切断するだけでよいことから、交換時における作業者の負担を軽減することができる。
【０１７０】
なお、本例の結束バンド４５４は、ロゴ表示部４５８に特定のロゴが刻印されているため、譬え、不正行為が行われた後に別の結束バンドを用いて元の状態に戻したとしても、結束バンドの種類が異なることから、不正行為が行われたことを把握させることができる。また、この結束バンド４５４は、蛍光色の部材からなるため、ケース部材４００の中に配置された他の部材よりも目立たせることができ、ユニット側コネクタ４２５等と本体側コネクタ１２４等との連結状態が解除されたか否かを明瞭に認識させることが可能になる。また、ケース部材４００は透明部材から形成されているため、画像表示体５００によってケース部材４００の前面が閉鎖された状態でも、結束バンド４５４の状態を、ケース部材４００の外部から視認することができる。
【０１７１】
また、図１３に示すように、ユニット側透孔４６０は、穴部形成部材４６４の後端側に形成された切欠状の溝部４６０ａと、その溝部４６０ａに連通するとともにコネクタホルダ４２８に穿設された貫通孔４６０ｂとからなる。このため、図１４に示すように、穴部形成部材４６４の中に、本体側透孔４６１を有する本体側ガイド部４５３を挿入させると、これらの貫通孔４６０ｂ及び溝部４６０ａと本体側透孔４６１とを通して結束バンド４５４を上下方向に挿通させるとともに、穴部形成部材４６４の外周面に沿って結束バンド４５４を締め付けることが可能になる。特に、コネクタホルダ４２８だけではなく穴部形成部材４６４の後端側にも結束バンド４５４が通される切欠状の溝部４６０ａが形成されているため、穴部形成部材４６４をコネクタ４２５の奥側（連結部分側）に形成した場合でも、結束バンド４５４の挿通位置を前方側（作業者側）に近づけることができ、作業性を向上することが可能になる。また、穴部形成部材４６４の厚みが比較的大きな場合でも、穴部形成部材４６４に形成された溝部４６０ａは後端が開放された形状であることから、穴部形成部材４６４に対し結束バンド４５４を容易に挿入させることができる。
【０１７２】
また、穴部形成部材４６４に形成された溝部４６０ａの横幅寸法が、結束バンド４５４の横幅に略一致しているため、溝部４６０ａに挿入された結束バンド４５４の動き、特に左右方向の遊動を防止することができる。つまり、穴部形成部材４６４によって結束バンド４５４の位置決めが行われるため、適切な位置に安定した状態で結束させることが可能になる。
【０１７３】
また、図１４に示すようにコネクタホルダ４２８の上面側には、ユニット側透孔４６０（特に貫通孔４６０ｂ）に向って下り傾斜した進入ガイド部４６５が形成されており、結束バンド４５４を取着させる際、コネクタホルダ４２８の前側から貫通孔４６０ｂに向って結束バンド４５４の進入方向が案内される。このため、貫通孔４６０ｂがコネクタホルダ４２８の奥側に形成されている場合でも、結束バンド４５４の先端を比較的容易に貫通孔４６０ｂに到達させることが可能となり、ひいては作業性をさらに高めることができる。
【０１７４】
また、図１３に示すように、穴部形成部材４６４の底面及び前面には送出ガイド部４６６が形成されており、ユニット側透孔４６０を挿通した後の結束バンド４５４の先端が、穴部形成部材４６４の前方に向って案内される。このため、貫通孔４６０ｂに挿通した結束バンド４５４を引き出す等の作業を行わなくても、自然に前方に向って送り出され、穴部形成部材４６４を囲むように環状に配設させることが可能になる。したがって、結束作業を一層容易に行わせることが可能になる。なお、送出ガイド部４６６は、略円弧状の誘導面４６７と、その誘導面４６７に沿って形成された堤部４６８とを具備して構成されている。このため、略円弧状の誘導面４６７に沿って結束バンド４５４を滑らかに送り出すことが可能になる。
【０１７５】
なお、ユニット側コネクタ４２５等に接続されたハーネス４２４（図１１参照）は、ユニット側透孔４６０の穿設方向と略平行に配線されている。具体的には、ハーネス４２４が、ユニット側コネクタ４２５等の取付方向に対して垂直である上方に向って繰出されている。このため、ユニット側透孔４６０に挿入される結束バンド４５４とハーネス４２４とが交差することを回避でき、ひいては結束バンド４５４による結束作業がハーネス４２４の存在によって困難となることを防止できる。
【０１７６】
ところで、結束バンド４５４によってユニット側ガイド部４５２と本体側ガイド部４５３とが合致された状態に保持されていても、ユニット側ガイド部４５２が形成されたコネクタホルダ４２８に対してユニット側コネクタ４２５等が着脱可能に取り付けられている場合には、結束バンド４５４を切断することなく、ユニット側コネクタ４２５等を本体側コネクタ１２４等から外すことが可能になる。
【０１７７】
これに対し、本例によれば、図１１に示すように、複数のユニット側コネクタ４２５等が、ネジ４６９によってコネクタホルダ４２８に取付けられているが、このネジ４６９は、図４に示すように、コネクタホルダ４２８において本体側コネクタ１２４等と対向する面にねじ込まれているため、本体側コネクタ１２４等とユニット側コネクタ４２５等とを分離させない限り、ネジ４６９を緩めることができなくなる。したがって、「本体側ガイド部４５３に対するユニット側ガイド部４５２の固定状態を保持したまま、ユニット側コネクタ４２５等を本体側コネクタ１２４等から抜き取ること」が防止される。
【０１７８】
一方、図９に示すように、外本体１００では、本体側ガイド部４５３を形成したカバー体１２１が、コネクタ基板１２２等を覆っているため、カバー体１２１を外すことなく、コネクタ基板１２２等を外本体１００から取り外すことができなくなる。したがって、防犯効果をさらに高めることができる。特に、カバー体１２１は、コネクタ基板１２２等に対しネジ（図示しない）を用いて取付けられているが、そのネジは、コネクタホルダ４２８と対向する位置に穿設された透孔１３４ａを通してねじ込まれているため、本体側コネクタ１２４等とユニット側コネクタ４２５等とを分離させない限り、ネジを緩めることができなくなる。つまり、ユニット側コネクタ４２５等が本体側コネクタ１２４等に連結された状態では、ネジがねじ込まれた部分に対してドライバー等の工具を挿入させることができないようになっている。したがって、「本体側ガイド部４５３に対するユニット側ガイド部４５２の固定状態を保持したまま、カバー体１２１をコネクタ基板１２２等から外すこと」が防止される。
【０１７９】
また、図４に示すように、機種ユニット５０におけるケース部材４００内に棚状の仮止め棚４１８が形成されていることは前述した通りであるが、仮止め棚４１８におけるベンチ部４３３とベンチ側板４３４とによってコネクタホルダ４２８の可動範囲が制限されるようになっている。このため、ユニット側コネクタ４２５等を本体側コネクタ１２４等に連結させる際に、まず、ベンチ部４３３及びベンチ側板４３４によってコネクタホルダ４２８の大まかな位置決めがなされ、その後、本体側ガイド部４５３及びユニット側ガイド部４５２によって精度の高い位置決めがなされる。したがって、本体側ガイド部４５３及びユニット側ガイド部４５２が視認し難い位置に配置されていても、これらを容易に合致させることが可能となり、ひいてはユニット側コネクタ４２５等の嵌合方向を円滑に案内することが可能となる。
【０１８０】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、外本体１００の天板１０３と遊技機設置島の上桟（図示しない）とを木ねじ等の固定部材で止める場合は、扉形前面部材２００と画像表示体５００を開放し、外本体１００の貫通孔１３２に対しケース部材４００の内側から天窓部４４３越しに木ネジ（図示しない）を挿通させ、さらにドライバー等の工具で天窓部４４３越しに固定部材を締め付けて外本体１００の天板１０３と遊技機設置島の上桟とを固定的に連結する。なお、貫通孔１３２は複数設けられているため、必要に応じてその中から任意に選択して使用することができる。例えば、上桟の位置やサイズにばらつきがあってもその上桟に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【０１８１】
ところで、図３に示したように外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３（図１参照）に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【０１８２】
続いて、連結具の他の例について、図４５乃至図４９に基づき説明する。ここで、図４５は連結具８０の作動状態を示す斜視図、図４６は連結具８０における要部の構成を示す斜視図、図４７は連結具８０の分解斜視図、図４８は連結具８０を裏側から見た背面図、図４９は連結具８０の作動状態を示す図４８のＡ−Ａ線相当断面図である。
【０１８３】
図４５乃至図４７に示すように、連結具８０は、画像表示体５００の裏面に形成された溝状の収容部５００ｂ内に、大部分が埋込まれた状態で配置されている。つまり、画像表示体５００の背面からあまり突出することない状態で設けられている。また、この連結具８０は、ケース部材４００が外本体１００内に装着され、しかもケース部材４００の開口が画像表示体５００によって閉じられた状態では操作できないように、画像表示体５００の回動外縁部分に設けられている。このため、画像表示体５００を開いた状態で連結具８０を止め軸７０３に連結することが必要となり、ひいてはロック片４２１の解除を忘れたまま連結具８０を連結すること、すなわち扉形前面部材２００及び画像表示体５００が開けられなくなる事態が発生すること、を未然に防ぐことができる。
【０１８４】
連結具８０は、連結具７００と同様、画像表示体５００の回動外縁から突出し、先端側が止め軸７０３に対して回転自在に連結される樹脂製の連結杆８００と、その連結杆８００を、画像表示体５００における回転軌跡の径方向に沿って摺動可能に支持する摺動案内部材８０１とを具備して構成されている。つまり、連結杆８００を突出方向に対して出没可能に支持することにより、扉形前面部材２００の回動に伴って扉形前面部材２００の回動外縁側と画像表示体５００の回動外縁側との距離が変化しても、連結杆８００の摺動によって連結状態を保持することを可能にしている。
【０１８５】
また、本例の連結具８０には、画像表示体５００と連結杆８００との間に伸縮アーム８２０が介在されている。伸縮アーム８２０は、回動軌跡の径方向に折れ曲がり可能に構成されており、伸縮アーム８２０が伸びると、図４５（ｂ）及び図４９（ｂ）に示すように、連結杆８００が突出方向に飛び出した状態となり、一方、伸縮アーム８２０が縮むと、図４５（ａ）または図４９（ａ）に示すように、連結杆８００が没入した状態となる。
【０１８６】
次に、連結杆８００、摺動案内部材８０１、及び伸縮アーム８２０の構成について詳細に説明する。連結杆８００は、図４７に示すように、全体的に略棒状の形状を呈し、基部８００ａ側には円形の軸孔部８００ｄが穿設され、先端側には長手方向が長径となる長孔形状の軸孔部８００ｃが穿設されている。なお、基部８００ａ側と先端側では上面の高さが等しいが、基部８００ａ側から長手方向の略中央部分にわたって、高さ方向の厚みが約１／２となっており、底上げした形態となっている。つまり、基部８００ａの下部に空間を形成することにより、伸縮アーム８２０の一部をもぐり込ませることを可能にし、ひいては伸縮アーム８２０が折れ曲がった際に伸縮アーム８２０と基部８００ａとが部分的に重なりあっても、高さ方向の厚みが大きくなり過ぎないようになっている。特に、基部８００ａの側面（図４９（ｂ）では下側の面）には、半円状の切欠部８００ｅが形成されており、後述する第二腕部８２０ｂの先端側に形成された連結部分の一部を収容可能としている。
【０１８７】
また、連結杆８００の先端側には、連結杆８００の側面から回転軌跡の周方向に向って突出した突出補強部材８００ｂが形成されている。この突出補強部材８００ｂは、扉形前面部材２００が開放位置から閉鎖位置に回動する際、すなわち扉形前面部材２００を閉じる際、止め軸７０３（図４１参照）が支持されたベース部材２１５ａに当接し回転中心方向に押圧される位置に形成されている。このため、扉形前面部材２００を閉じる際に、止め軸７０３のみによって連結杆８００を押圧するものに比べ、止め軸７０３及び連結杆８００に加わる荷重を分散することができ、荷重の集中による止め軸７０３または連結杆８００の破損を抑制することができる。
【０１８８】
一方、摺動案内部材８０１は、連結杆８００を回転軌跡の径方向に案内するための部材であり、樹脂で形成され、画像表示体５００に対向する面が開放された断面略コ字形の形状を呈するガイド部分８０１ａと、その先端側の裏面縁部から上下方向に延出された一対のフランジ部８０１ｂとを具備して構成されている。なお、フランジ部８０１ｂは、図４５に示すように、溝状の収容部５００ｂからはみ出した状態で画像表示体５００の裏面に取付けられており、夫々の中央部分には、取付けネジを挿通させるための貫通孔が穿設されている。
【０１８９】
また、図４７及び図４９に示すように、摺動案内部材８０１の側面には、伸縮アーム８２０が貫通する長方形状の開口部８０１ｃが長手方向に沿って形成されており、特に、その中央部分には、伸縮アーム８２０の連結部分を収容可能とする半円形の切欠８０１ｄが底面にまで及んで形成されている。なお、この切欠８０１ｄは、連結杆８００が没入状態となった場合に、連結杆８００に形成された切欠８００ｅと上下方向において合致する位置に形成されており、その重なった状態において連結部分が挿入されるようになっている。
【０１９０】
伸縮アーム８２０は、画像表示体５００の裏面に固定された支持軸８３０（図４５参照）に対し一端側が軸支された第一腕部８２０ａと、両端側が第一腕部８２０ａの先端側及び連結杆８００の基部８００ａに夫々軸支された第二腕部８２０ｂとからなり、「く」の字形に折れ曲がるように構成されている。さらに詳しく説明すると、第一腕部８２０ａは、基端側に平面視Ｃ字形の支持環８２０ｃを備えており、支持軸８３０に対し回動可能に外嵌されている。なお、支持軸８３０の位置は、連結杆８００の摺動直線上（すなわち摺動案内部材８０１の内部）から後側に逸脱した位置に設定されており、連結杆８００が最も突出した状態（図４９（ｂ）参照）では連結杆８００の長手方向と第一腕部８２０ａの長手方向とが略平行となり、一方、連結杆８００が没入した状態（図４９（ａ）参照）では、第一腕部８２０ａの先端側が連結杆８００に食い込んだ状態となる。なお、第一腕部８２０ａの先端側には、支持環８２０ｃと略同径の連結部分が形成され、その内部に軸孔部８２０ｄが形成されている。
【０１９１】
第二腕部８２０ｂは、平面視が眼鏡形の形状を呈しており、その両端側には、軸孔部８２０ｄと同径の軸孔部８２０ｅ，８２０ｆを有する連結部分が形成されている。そして、第一腕部８２０ａの軸孔部８２０ｄと第二腕部８２０ｂの軸孔部８２０ｅとが回転軸８２１ａを介して互いに回転可能に連結され、第二腕部８２０ｂの軸孔部８２０ｆと連結杆８００の軸孔部８００ｄとが回転軸８２１ｂを介して互いに回転可能に連結されている。なお、第二腕部８２０ｂの高さ方向の厚みは第一腕部８２０ａよりも薄くなっており、連結杆８００の下部に形成された空間に潜り込むことが可能になっている。
【０１９２】
このように、伸縮アーム８２０は、回動軌跡の径方向に折れ曲がり可能に構成されているため、折り畳まれると連結杆８００の長手方向における寸法を短くすることが可能になる。特に、支持軸８３０が連結杆８００の摺動直線上から外れた位置に配置されているため、伸縮アーム８２０を没入させる際、すなわち伸縮アーム８２０が折り畳まれる際、連結杆８００を摺動案内部材８０１の一番奥まで挿入させることが可能となる。
【０１９３】
ところで、連結杆８００は、回転軸８２１ｂを中心として、画像表示体５００の回転軌跡と同方向に所定範囲内で揺動可能に支持されている。また、図４９に示すように、摺動案内部材８０１における内幅Ｍは、連結杆８００の横幅Ｗよりも幾分大きくなるように設定されている。このため、揺動規制部８０５によって制限された回動範囲内で連結杆８００を揺動させることができ、連結杆８００の突出方向を変化させることが可能となる。したがって、扉形前面部材２００の回動中に、画像表示体５００の回動外縁に対する扉形前面部材２００の相対位置が変化しても、連結杆８００に無理な力が加わることを抑制でき、回動中における連結杆８００の反りや破損を防止することができる。
【０１９４】
なお、揺動規制部８０５は、摺動案内部材８０１の先端側に設けられており、連結杆８００の突出長さが短くなるほど、揺動可能範囲が狭くなるように構成されている。つまり、画像表示体５００の回動外縁側と扉形前面部材２００の回動外縁側との距離は、扉形前面部材２００の開放角度が大きくなるほど長くなる傾向にある（換言すれば、扉形前面部材２００の開放角度が小さくなるほど短くなる傾向にある）が、これに対し本例では、扉形前面部材２００が閉鎖位置に近づくほど揺動可能範囲が狭くなるため、夫々の開度状態に応じた適切な範囲内の揺動のみを許容することとなる。このため、扉形前面部材２００の回動中における画像表示体５００のガタツキを極力抑え、安定した状態で回動させることができる。
【０１９５】
また、図４５に示すように画像表示体５００の回動外縁には、外方向に突出した制動部材５００ｃが形成されている。また、連結杆８００の側面には、突出補強部材８００ｂとは反対側に突出した突出部８００ｆが形成されており、図４９（ａ）に示すように、画像表示体５００が閉鎖位置になると（すなわち連結杆８００が没入位置になると）、制動部材５００ｃと突出部８００ｆとが互いに当接するように位置が設定されている。これにより、画像表示体５００が閉じられた際に連結杆８００の揺動を阻止することが可能になり、ひいては画像表示体５００が閉じられた使用可能状態では、画像表示体５００を定位置に保持することができ、遊技中の振動による異音の発生を防止することができる。
【０１９６】
また、図４６に示すように、摺動案内部材８０１の基部側面には、弾性的な片持ち梁式のストッパ８０１ｓが形成されている。ストッパ８０１ｓは止め軸７０３から外した連結杆８００を摺動案内部材８０１の内部に納めて保持するためのものであり、連結杆８００の基部８００ａ側の円形部分に係合して連結杆８００の盲動を防止する。
【０１９７】
このように、本例のスロットマシン１によれば、機種を変更する場合、外本体１００及び扉形前面部材２００をそのまま利用し、メイン基板４０９と演出制御基板５１０とを含む、必要最小限の構成のみを交換することが可能になる。したがって、機種変更にかかる費用の負担を軽減するとともに、交換部分の小型化及び軽量化が図れることから運搬や設置における作業性が向上する。特に、ユニットごと交換することから、取扱いが容易となり、遊技店舗においても速やかに交換することが可能になる。
【０１９８】
また、本例のスロットマシン１によれば、演出表示装置５９０が前面開閉部材５０１の前面側に取付けられているため、表示画面を比較的大きく形成し、迫力のある画像を明瞭に視認させることができる。また、演出表示装置５９０での演出制御等、遊技の進行に準じて所定の演出制御を実行する演出制御基板５１０が、前面開閉部材５０１の背面側に組付けられているため、取扱いが容易になるとともに、両者を繋ぐ配線が短くなりケース部材４００内の煩雑さを抑制できる。また、前面開閉部材５０１が開かれると、演出制御基板５１０を収容する基板ケースユニット５５１がケース部材４００内から飛び出すように出現するため、演出制御基板５１０に対する作業性を著しく向上させることができる。
【０１９９】
また、本例のスロットマシン１によれば、前面開閉部材５０１の前面側に取付けた演出表示装置５９０に対し、前面開閉部材５０１の背面側でアース線５２７に接続することから、演出表示装置５９０を前面開閉部材５０１に取付けた後にアース線５２７を接続することが可能になるとともに、アース線５２７が前面開閉部材５０１と演出制御基板５１０との間に配線されることから、アース線５２７の露出による見栄えの低下を抑制することができる。また、雄ネジ５３０の推進力によって金具５２２の前側部分５２３を弾性変形させ、演出表示装置５９０の裏面の金属板５２１に向って付勢するため、前面開閉部材５０１の前面側に演出表示装置５９０を取付けた後、雄ネジ５３０を螺合させるだけで、金具５２２の前側部分５２３を演出表示装置５９０の金属板５２１に圧接させることができ、ひいては金具５２２と金属板５２１とを確実に接触させることが可能になる。すなわち、極めて簡単が工程によって、演出表示装置５９０のアース経路を確保することができる。
【０２００】
また、本例のスロットマシン１によれば、金具５２２を前面開閉部材５０１に固定させるための雄ネジ５３０を用いて、金具５２２の前側部分５２３を演出表示装置５９０の金属板５２１に向って弾性変形させるため、構成が簡単になるとともに、作業工程が少なくなるため、低廉化を図ることができる。また、その雄ネジ５３０によってＹ形端子５２８も固定することから、全体の構成が一層簡単になる。
【０２０１】
また、本例のスロットマシン１によれば、前面開閉部材５０１の裏面側に凹凸面５５０が形成されており、金具５２２は凹凸面５５０の中の低くなっている部分、すなわち後方に向って突出していない部分に配置されているため、前面開閉部材５０１の裏面側に取付けられる演出制御基板５１０（詳しくは演出制御基板５１０を収容する基板ケースユニット５５１）と、金具５２２との接触を回避することが可能となり、金具５２２や雄ネジ５３０の頭部によって演出制御基板５１０の組付けが困難となることを防止できる。
【０２０２】
また、本例のスロットマシン１によれば、金具５２２には前側部分５２３の裏面に凹状の受止部５２４が形成されており、雄ネジ５３０が前面開閉部材５０１にねじ込まれると、雄ネジ５３０の先端が受止部５２４に当接する。このため、雄ネジ５３０をねじ込む際に金具５２２の前側部分５２３が雄ネジ５３０の推進方向（軸方向）から逃げることを防止でき、前側部分５２３を演出表示装置５９０に向って確実に押圧することが可能になる。
【０２０３】
また、本例のスロットマシン１によれば、メイン基板４０９及び演出制御基板５１０に接続された複数のユニット側コネクタ４２５等が配置されており、本体側コネクタ１２４等に着脱可能に連結させることが可能になっている。特に複数の本体側コネクタ１２４等は、外本体１００内で１箇所に集められて配置されており、一方、複数のユニット側コネクタ４２５等は、一つのコネクタホルダ４２８によって纏めて支持されているため、一回の操作によって、複数組のコネクタを同時に連結させることが可能となり、連結に関する作業性を高めることができる。
【０２０４】
また、本例のスロットマシン１によれば、外本体１００に固定された本体側コネクタ１２４等に対してユニット側コネクタ４２５等の嵌合方向が案内されるように構成されているため、円滑に且つ容易に連結させることが可能になり、作業性を大幅に高めることができる。なお、コネクタホルダ４２８にユニット側ガイド部４５２を形成することから、一つのユニット側ガイド部４５２によって、二つのユニット側コネクタ４２５，４２７の嵌合を案内することができ、夫々のユニット側コネクタ及び本体側コネクタにガイド部を形成するものに比べ、比較的簡単な構成で実現することが可能になる。
【０２０５】
また、本例のスロットマシン１によれば、ユニット側コネクタ４２５等と本体側コネクタ１２４等との連結状態を結束バンド４５４によって保持することから、結束バンド４５４の状態を視認させることにより、本体側コネクタ１２４等からユニット側コネクタ４２５等が外されたことを遊技店舗等において把握させることが可能になる。したがって、不正な行為によって制御の内容が変更されることを抑制でき、メイン基板４０９等における信頼性を確保することができる。特に、ユニット側透孔４６０及び本体側透孔４６１を通して結束バンド４５４を結束させることにより、本体側ガイド部４５３に対してユニット側ガイド部４５２を固定させることから、極めて簡単な構成で連結状態を保持することができるとともに、結束バンド４５４の状態によって不正な行為を容易に把握させることができる。なお、遊技店舗において旧機種の機種ユニット５０を取外す際には、結束バンド４５４を鋏等で切断するだけでよいことから、交換時における作業者の負担を軽減することができる。
【０２０６】
また、本例のスロットマシン１によれば、前面開閉部材５０１の回動方向を扉形前面部材２００の回動方向と同方向にし、扉形前面部材２００の横開き動作を前面開閉部材５０１に伝達する連結具８０を備えているため、一回の横開き操作によって外本体１００内は勿論、ケース部材４００の内部を視認させることが可能になる。
【０２０７】
また、本例のスロットマシン１によれば、ケース部材４００の後面板内面にメイン基板４０９が組付けられ、その前方に配線作業空間４０８が形成されているため、ケース部材４００の内部に組付けられたメイン基板４０９に対しての配線作業が容易となる。特に、配線作業空間４０８とユニット側コネクタ４２５等とを隣接させた状態で配置することが可能となるため、これらを繋ぐハーネスの長さが短くなるとともに、配線作業空間４０８内で容易に連結作業を行うことが可能になる。
【０２０８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２０９】
上記実施形態では、演出表示装置５９０の背面側に設けられた金属板５２１に対して金具５２２を接触させるものを示したが、演出表示装置５９０とは別に金属製のシールド板を配置し、そのシールド板に対して金具５２２を接触させるようにしてもよい。
【０２１０】
また、上記実施形態では、前面開閉部材５０１に演出表示装置５９０を組付けるもの、すなわち演出表示装置５９０を機種ユニット５０の一部として、交換可能に組込むものを示したが、演出表示装置５９０を扉形前面部材２００に組付けるようにしてもよい。これによれば、演出表示装置５９０を共通部品として扱うことが可能になる。なお、この場合、前面開閉部材の代りに、合成樹脂製の取付部材が用いられる。
【０２１１】
つまり、「所定の演出画像を表示する演出表示装置５９０と、遊技の進行に準じて所定の演出制御を実行する演出制御基板５１０と、演出表示装置５９０を前面側に取付けるとともに、演出制御基板５１０を背面側に取付ける樹脂製の取付部材と、取付部材に形成された開口部を通し取付部材の表裏に跨って配置された断面略コ字形で弾性の金属片からなり、取付部材の表側に位置する前側部分５２３が演出表示装置５９０の裏面の金属板５２１に当接可能で、取付部材の裏側に位置する後側部分５２５がアース線５２７に接続される電導性の金具５２２と、取付部材に貫通して設けられたネジ孔に対して取付部材の後方からねじ込まれる雄ネジであって、取付部材の前面から突出する先端部分によって、金具５２２の前側部分５２３を背面側から押圧し演出表示装置５９０の裏面に向って付勢する雄ネジ５３０とを具備するものとなる。このように構成しても、アース線５２７の露出による見栄えの低下を抑制することが可能になるとともに、金具５２２と金属板５２１とを確実に接触させることが可能になる。
【０２１２】
また、上記実施形態では、機種ユニット５０を仕切板１０５によって分割し、上部側に図柄変動表示装置３００を、下部側に演出表示装置５９０を夫々配置するものを示したが、図柄変動表示装置３００を下部側に配置し、演出表示装置５９０を上部側に配置してもよい。
【０２１３】
また、上記実施形態の連結具７００，８０では、ロッド７０２及び連結杆８００を、回転軌跡の径方向に摺動可能に支持し、扉形前面部材２００の回動外縁と前面開閉部材５０１の回動外縁との距離の変化に応じて出没させるものを示したが、前面開閉部材５０１の回動軌跡を扉形前面部材２００の回転軸を回転中心とする回転軌跡に確実に一致させるように構成した場合には、扉形前面部材２００及び前面開閉部材５０１の回動外縁同士を、摺動することのない連結杆によって連結するようにしてもよい。
【０２１４】
さらに、上記実施形態では、遊技機としてスロットマシン１を示したが、スロットマシン以外の遊技機、例えば、パチンコ機や、パチンコ機とスロットマシンとを融合させてなる遊技機等であっても本発明を適用することができる。
【図面の簡単な説明】
【０２１５】
【図１】スロットマシンの分解斜視図である。
【図２】スロットマシンを前方右上から見た斜視図である。
【図３】スロットマシンの縦断面図である。
【図４】（ａ）はコネクタ部分の横断面拡大図、（ｂ）はコネクタホルダを移動させた状態を示す横断面拡大図である。
【図５】前面開閉部材を開放した状態の機種ユニットを前方右上から見た斜視図である。
【図６】機種ユニットの分解斜視図である。
【図７】機種ユニットを後方右上から見た斜視図である。
【図８】（ａ），（ｂ）はコネクタホルダの仮止め状態を説明するケース部材の要部の斜視図である。
【図９】配線中継部材の分解斜視図である。
【図１０】配線中継部材のカバー体を省略した正面図である。
【図１１】コネクタホルダを分解した状態を後方左上から見た分解斜視図である。
【図１２】コネクタホルダの他の例を示す分解斜視図である。
【図１３】コネクタホルダを後方左下から見た斜視図である。
【図１４】コネクタ部分の縦断面拡大図である。
【図１５】コネクタ部分を移動させた状態を示す縦断面拡大図である。
【図１６】（ａ）はコネクタの連結保持状態を示す斜視図、（ｂ）はその際用いられる結束バンドの斜視図である。
【図１７】コネクタの連結保持状態を示す縦断面拡大図である。
【図１８】前面開閉部材及び演出表示装置を分解した状態を前方右上から見た斜視図である。
【図１９】前面開閉部材を前方右上から見た斜視図である。
【図２０】前面開閉部材及び演出表示装置を組合せた状態の縦断面図、及び金具の斜視図である。
【図２１】図柄変動表示装置を前方右上から見た斜視図である。
【図２２】図柄変動表示装置を後方右上から見た斜視図である。
【図２３】図柄変動表示装置の分解斜視図である。
【図２４】リールを分解した状態を前方右上から見た分解斜視図である。
【図２５】リールを分解した状態を前方左上から見た分解斜視図である。
【図２６】ケース部材を止めるストッパーの斜視図である。
【図２７】他の形態を示すストッパーの斜視図である。
【図２８】ケース部材のガイド構造を示す要部の断面図である。
【図２９】ケース部材のガイド構造を示す要部の断面図である。
【図３０】メダル放出装置を省略してスロットマシンの下半部を示す斜視図である。
【図３１】図３０の分解斜視図である。
【図３２】スロットマシンの裏側から放熱口を見た背面図である。
【図３３】電源装置を示すスロットマシンの一部断面部分正面図である。
【図３４】電源装置を前方左下から見た斜視図である。
【図３５】他の形態を示すもので外本体の側板と電源装置の要部断面図である。
【図３６】透明板を装着した扉形前面部材の要部断面図である。
【図３７】ヒンジ金具の分解・組み立て斜視図である。
【図３８】ヒンジ金具の連鎖を示す線図である。
【図３９】扉形前面部材を示す要部の横断平面図である。
【図４０】開く途中の扉形前面部材を示す要部の横断平面図である。
【図４１】扉形前面部材の上半部を示す裏側から見た斜視図である。
【図４２】（ａ）は連結具を縦方向に切断した断面斜視図、（ｂ）は連結具の突出状態を示す断面斜視図である。
【図４３】他のヒンジ金具の例を示す扉形前面部材の要部横断平面図である。
【図４４】図４３の扉形前面部材の開く途中を示す要部の横断平面図である。
【図４５】他の連結具の作動状態を示す斜視図である。
【図４６】連結具における要部の斜視図である。
【図４７】連結具の分解斜視図である。
【図４８】連結具を裏側から見た背面図である。
【図４９】連結具の作動状態を示す図４８のＡ−Ａ線相当断面図である。
【符号の説明】
【０２１６】
１  スロットマシン（遊技機）
５０  機種ユニット
８０  連結具
１００  外本体（筐体）
１１０  メダル放出装置（電気部品）
１１２  電源装置
１２４  コネクタ（本体側コネクタ）
１２５  コネクタ（本体側コネクタ）
２００  扉形前面部材
２０２  操作部（遊技操作部）
２１４  透視窓
３００  図柄変動表示装置（遊技表現手段，回転ドラム）
４００  ケース部材
４０８  配線作業空間
４０９  メイン基板（遊技制御手段）
４２５  コネクタ（ユニット側コネクタ）
４２７  コネクタ（ユニット側コネクタ）
５０１  前面開閉部材
５１０  演出制御基板（演出制御手段）
５２０  開口部
５２１  金属板
５２２  金具
５２３  前側部分
５２４  受止部
５２５  後側部分
５２６  透孔
５２７  アース線
５２８  Ｙ形端子（端子）
５２９  ネジ孔
５３０  雄ネジ
５５０  凹凸面
５５１  基板ケースユニット（ケース）
５９０  演出表示装置
７００  連結具
【図１】
2008301909.tif 000003
【図２】
2008301909.tif 000004
【図３】
2008301909.tif 000005
【図４】
2008301909.tif 000006
【図５】
2008301909.tif 000007
【図６】
2008301909.tif 000008
【図７】
2008301909.tif 000009
【図８】
2008301909.tif 000010
【図９】
2008301909.tif 000011
【図１０】
2008301909.tif 000012
【図１１】
2008301909.tif 000013
【図１２】
2008301909.tif 000014
【図１３】
2008301909.tif 000015
【図１４】
2008301909.tif 000016
【図１５】
2008301909.tif 000017
【図１６】
2008301909.tif 000018
【図１７】
2008301909.tif 000019
【図１８】
2008301909.tif 000020
【図１９】
2008301909.tif 000021
【図２０】
2008301909.tif 000022
【図２１】
2008301909.tif 000023
【図２２】
2008301909.tif 000024
【図２３】
2008301909.tif 000025
【図２４】
2008301909.tif 000026
【図２５】
2008301909.tif 000027
【図２６】
2008301909.tif 000028
【図２７】
2008301909.tif 000029
【図２８】
2008301909.tif 000030
【図２９】
2008301909.tif 000031
【図３０】
2008301909.tif 000032
【図３１】
2008301909.tif 000033
【図３２】
2008301909.tif 000034
【図３３】
2008301909.tif 000035
【図３４】
2008301909.tif 000036
【図３５】
2008301909.tif 000037
【図３６】
2008301909.tif 000038
【図３７】
2008301909.tif 000039
【図３８】
2008301909.tif 000040
【図３９】
2008301909.tif 000041
【図４０】
2008301909.tif 000042
【図４１】
2008301909.tif 000043
【図４２】
2008301909.tif 000044
【図４３】
2008301909.tif 000045
【図４４】
2008301909.tif 000046
【図４５】
2008301909.tif 000047
【図４６】
2008301909.tif 000048
【図４７】
2008301909.tif 000049
【図４８】
2008301909.tif 000050
【図４９】
2008301909.tif 000051